(57)【要約】【課題】適切な磁気の検知を行うことができる遊技機を提供すること。【解決手段】磁気センサが磁気を検知した場合、所定条件が成立しているときには磁気検知信号の状態が特定状態とならずに非特定状態となる一方、所定条件が成立しないときには磁気検知信号の状態が特定状態となる。このように、所定条件が成立する状況下においては、たとえ磁気センサが磁気を検知した場合であっても、磁気検知信号の状態が特定状態とならない。これにより、単純に磁気センサが磁気を検知したからといって磁気検知状態が特定状態となるような場合に比して、より適切な磁気の検知を行うことができる。【選択図】図７
2018038586.tif 000002
【特許請求の範囲】
【請求項１】
磁気を検知する磁気検知手段を備えた遊技機において、
前記磁気検知手段からの磁気検知信号が入力される制御手段を備え、
前記磁気検知手段からの磁気検知信号の状態には、磁気が検知されていることを特定できる特定状態と、磁気が検知されていないことを特定できる非特定状態と、があり、
前記磁気検知手段が磁気を検知した場合、所定条件が成立するときには前記磁気検知信号の状態が前記特定状態とならずに前記非特定状態となる一方、前記所定条件が成立しないときには前記磁気検知信号の状態が前記特定状態となることを特徴とする遊技機。
【請求項２】
前記所定条件には、特定の所定条件を含む複数種類の所定条件があり、
前記特定の所定条件が成立する状態から当該特定の所定条件が成立しない状態へと切り替わった後に所定時間が経過するまでの期間内では、前記磁気検知手段が磁気を検知した場合であっても前記磁気検知信号の状態が前記特定状態とならず、前記非特定状態となる場合がある請求項１に記載の遊技機。
【請求項３】
前記磁気検知手段が磁気を検知した場合であっても前記磁気検知信号の状態が前記特定状態とならずに前記非特定状態となる期間には、第１の期間と、前記第１の期間とは異なる第２の期間と、がある請求項１又は請求項２に記載の遊技機。
【請求項４】
支持部材と、
前記支持部材に開閉可能に支持される扉部材と、
前記扉部材の開放を検知する扉開放検知手段と、を備え、
前記磁気検知手段には、前記扉開放検知手段からの開放検知信号が入力され、
前記扉開放検知手段からの開放検知信号の状態には、前記扉部材の開放が検知されていることを特定できる第１状態と、前記扉部材の開放が検知されていないことを特定できる第２状態と、があり、
前記磁気検知手段が磁気を検知した場合であっても前記磁気検知信号の状態が前記特定状態とならずに前記非特定状態となる期間には、前記第１の期間と、前記第２の期間と、前記磁気検知手段に入力される前記開放検知信号の状態が前記第１状態である第３の期間と、がある請求項３に記載の遊技機。
【請求項５】
支持部材と、
前記支持部材に開閉可能に支持される扉部材と、
前記扉部材の開放を検知する扉開放検知手段と、を備え、
前記磁気検知手段には、前記扉開放検知手段からの開放検知信号が入力され、
前記扉開放検知手段からの開放検知信号の状態には、前記扉部材の開放が検知されていることを特定できる第１状態と、前記扉部材の開放が検知されていないことを特定できる第２状態と、があり、
前記扉部材が開放されているときに電力供給が開始された場合に当該電力供給が開始されてから１回目の前記扉部材の閉鎖後に前記磁気検知手段では初期動作が行われ、
前記扉部材が開放されているときに電力供給が開始された場合の前記第１の期間は、前記電力供給が開始されてから１回目の前記扉部材の閉鎖から前記初期動作が終了するまでの期間であって、
前記扉部材が開放されているときに電力供給が開始された場合の前記第２の期間は、前記電力供給が開始されてから２回目以降の前記扉部材の閉鎖から所定時間が経過するまでの期間であり、
前記扉部材が開放されているときに電力供給が開始された場合の前記第１の期間は、前記扉部材が開放されているときに電力供給が開始された場合の前記第２の期間よりも長い請求項３又は請求項４に記載の遊技機。
【請求項６】
前記磁気検知手段は、出力トランジスタを有し、
前記出力トランジスタは、磁気が検知されているときであって特定条件が成立している場合にオン状態となる一方、磁気が検知されていない場合及び磁気が検知されているときであって前記特定条件が成立していない場合にオフ状態となる請求項１〜請求項５のうち何れか一項に記載の遊技機。
【発明の詳細な説明】
【技術分野】
【０００１】
本発明は、遊技機に関するものである。
【背景技術】
【０００２】
遊技機のうちパチンコ遊技機の中には、不正を検知するため、磁気を検知する磁気センサ（磁気検知手段）を設けたものがある。例えば、磁気センサは、遊技盤の裏面や、特許文献１に記載されたパチンコ遊技機のように遊技盤の内部に設けられる。
【先行技術文献】
【特許文献】
【０００３】
【特許文献１】特開２０１０−５７７６１号公報
【発明の概要】
【発明が解決しようとする課題】
【０００４】
ところで、一般的なパチンコ遊技機の中には、例えば、磁石を有するスピーカを備えたものがある。そして、例えば、パチンコ遊技機の扉部材を開放した場合にスピーカが有する磁石の磁気を磁気センサが検知することが想定でき、磁気を検知したからといって必ずしも不正が行われているわけではない。
【０００５】
この発明は、上述した従来の技術に鑑みてなされたものである。この発明の目的は、適切な磁気の検知を行うことができる遊技機を提供することである。
【課題を解決するための手段】
【０００６】
上記課題を解決する遊技機は、磁気を検知する磁気検知手段を備えた遊技機において、前記磁気検知手段からの磁気検知信号が入力される制御手段を備え、前記磁気検知手段からの磁気検知信号の状態には、磁気が検知されていることを特定できる特定状態と、磁気が検知されていないことを特定できる非特定状態と、があり、前記磁気検知手段が磁気を検知した場合、所定条件が成立するときには前記磁気検知信号の状態が前記特定状態とならずに前記非特定状態となる一方、前記所定条件が成立しないときには前記磁気検知信号の状態が前記特定状態となることを要旨とする。
【０００７】
上記遊技機について、前記所定条件には、特定の所定条件を含む複数種類の所定条件があり、前記特定の所定条件が成立する状態から当該特定の所定条件が成立しない状態へと切り替わった後に所定時間が経過するまでの期間内では、前記磁気検知手段が磁気を検知した場合であっても前記磁気検知信号の状態が前記特定状態とならず、前記非特定状態となる場合があってもよい。
【０００８】
上記遊技機について、前記磁気検知手段が磁気を検知した場合であっても前記磁気検知信号の状態が前記特定状態とならずに前記非特定状態となる期間には、第１の期間と、前記第１の期間とは異なる第２の期間と、があってもよい。
【０００９】
上記遊技機について、支持部材と、前記支持部材に開閉可能に支持される扉部材と、前記扉部材の開放を検知する扉開放検知手段と、を備え、前記磁気検知手段には、前記扉開放検知手段からの開放検知信号が入力され、前記扉開放検知手段からの開放検知信号の状態には、前記扉部材の開放が検知されていることを特定できる第１状態と、前記扉部材の開放が検知されていないことを特定できる第２状態と、があり、前記磁気検知手段が磁気を検知した場合であっても前記磁気検知信号の状態が前記特定状態とならずに前記非特定状態となる期間には、前記第１の期間と、前記第２の期間と、前記磁気検知手段に入力される前記開放検知信号の状態が前記第１状態である第３の期間と、があってもよい。
【００１０】
上記遊技機について、支持部材と、前記支持部材に開閉可能に支持される扉部材と、前記扉部材の開放を検知する扉開放検知手段と、を備え、前記磁気検知手段には、前記扉開放検知手段からの開放検知信号が入力され、前記扉開放検知手段からの開放検知信号の状態には、前記扉部材の開放が検知されていることを特定できる第１状態と、前記扉部材の開放が検知されていないことを特定できる第２状態と、があり、前記扉部材が開放されているときに電力供給が開始された場合に当該電力供給が開始されてから１回目の前記扉部材の閉鎖後に前記磁気検知手段では初期動作が行われ、前記扉部材が開放されているときに電力供給が開始された場合の前記第１の期間は、前記電力供給が開始されてから１回目の前記扉部材の閉鎖から前記初期動作が終了するまでの期間であって、前記扉部材が開放されているときに電力供給が開始された場合の前記第２の期間は、前記電力供給が開始されてから２回目以降の前記扉部材の閉鎖から所定時間が経過するまでの期間であり、前記扉部材が開放されているときに電力供給が開始された場合の前記第１の期間は、前記扉部材が開放されているときに電力供給が開始された場合の前記第２の期間よりも長くしてもよい。
【００１１】
上記遊技機について、前記磁気検知手段は、出力トランジスタを有し、前記出力トランジスタは、磁気が検知されているときであって特定条件が成立している場合にオン状態となる一方、磁気が検知されていない場合及び磁気が検知されているときであって前記特定条件が成立していない場合にオフ状態となるようにしてもよい。
【発明の効果】
【００１２】
この発明によれば、適切な磁気の検知を行うことができる。
【図面の簡単な説明】
【００１３】
【図１】パチンコ遊技機の斜視図。
【図２】前枠を開放したパチンコ遊技機の斜視図。
【図３】遊技盤の正面図。
【図４】パチンコ遊技機の電気的構成を示すブロック図。
【図５】磁気センサと、磁気センサと遊技盤入出力基板の接続の一例を示す図。
【図６】（ａ）及び（ｂ）は磁気センサを示す図、（ｃ）及び（ｄ）は磁気の検知範囲の一例を示す図。
【図７】（ａ）〜（ｃ）は、磁気センサの特性を示すタイミングチャート。
【発明を実施するための形態】
【００１４】
以下、遊技機の一実施形態を図１〜図７にしたがって説明する。本明細書における上、下、左、右、前（表）、及び後（裏）は、遊技者から見たときの各方向を示すものとする。
【００１５】
図１に示すように、遊技機としてのパチンコ遊技機１０は、枠体１１を備えている。枠体１１は、外枠１２と、中枠１３と、前枠１４と、を備えている。外枠１２は、遊技場などの遊技機設置設備（所謂、島設備）に固定される。また、中枠１３は、外枠１２の開口前面側に開閉可能に支持されている。中枠１３には、遊技盤２０を含む遊技盤ユニットが固定される。遊技盤ユニットは、遊技盤２０及び各種の基板を含んで構成されている。前枠１４は、遊技盤２０の前面を覆うように、中枠１３の前面側に開閉可能に支持されている。前枠１４には、遊技盤２０を保護する保護ガラス１５が支持されている。なお、図１において、保護ガラス１５は、一部を残して図示が省略されているが、実際には前枠１４の開口部１４ａの全体を覆っている。本実施形態のパチンコ遊技機１０において、中枠１３及び前枠１４は、支持部材としての外枠１２に開閉可能に支持されている。そして、本実施形態では、中枠１３と前枠１４が扉部材に相当する。本実施形態において中枠１３は、遊技盤２０が設置される扉部材といえる。また、本実施形態において前枠１４は、遊技盤２０を保護する保護ガラス１５が設置される扉部材といえる。
【００１６】
図２に示すように、前枠１４の裏側の樹脂ベースＢには、第１扉開放検知部Ｓ１１と、第２扉開放検知部Ｓ１２と、が配設されている。第１扉開放検知部Ｓ１１は、前枠１４の裏側の上部に配設されている。一方、第２扉開放検知部Ｓ１２は、前枠１４の裏側の下部に配設されている。第１扉開放検知部Ｓ１１及び第２扉開放検知部Ｓ１２は、何れも樹脂ベースＢの前面から出没可能な出没部を有している。外枠１２に対して前枠１４を閉じた状態では、第１扉開放検知部Ｓ１１及び第２扉開放検知部Ｓ１２が有する出没部が押し込まれる。一方、外枠１２に対して前枠１４を開いた状態では、第１扉開放検知部Ｓ１１及び第２扉開放検知部Ｓ１２が有する出没部が突出位置に戻る。因みに、外枠１２に対して中枠１３が開いた状態となる場合には、外枠１２に対して前枠１４も開いた状態となる。このため、外枠１２に対して中枠１３を開いた状態では、第１扉開放検知部Ｓ１１及び第２扉開放検知部Ｓ１２が有する出没部が突出位置に戻る。一方、外枠１２に対して中枠１３及び前枠１４が閉じた状態では、第１扉開放検知部Ｓ１１及び第２扉開放検知部Ｓ１２が有する出没部が押し込まれる。
【００１７】
以上のように、本実施形態のパチンコ遊技機１０において、中枠１３及び前枠１４のうち少なくとも一方が外枠１２に対して開いた状態では、第１扉開放検知部Ｓ１１及び第２扉開放検知部Ｓ１２が有する出没部が突出位置に戻り、中枠１３及び前枠１４のうち少なくとも一方の開放が検知される。一方、本実施形態のパチンコ遊技機１０において、中枠１３及び前枠１４の何れもが外枠１２に対して閉じた状態では、第１扉開放検知部Ｓ１１及び第２扉開放検知部Ｓ１２が有する出没部が押し込まれ、中枠１３及び前枠１４の閉鎖が検知される。
【００１８】
このように、本実施形態における第１扉開放検知部Ｓ１１及び第２扉開放検知部Ｓ１２は、中枠１３の開放と前枠１４の開放の何れも検知可能に構成されており、中枠１３の開放の検知と前枠１４の開放の検知を単一の検知部で行っている。本実施形態における第１扉開放検知部Ｓ１１及び第２扉開放検知部Ｓ１２は、前枠１４の裏側に配設したが、外枠１２の表側に配設することもできる。
【００１９】
なお、中枠１３に対して前枠１４が開いた状態であること（又は、閉じた状態であること）を検知する検知部と、外枠１２に対して中枠１３が開いた状態であること（又は、閉じた状態であること）を検知する検知部と、を別々に配設することもできる。この場合、例えば、中枠１３に対して前枠１４が開いた状態であること（又は、閉じた状態であること）を検知する検知部を前枠１４の裏側に設け、外枠１２に対して中枠１３が開いた状態であること（又は、閉じた状態であること）を検知する検知部を中枠１３の裏側に設けてもよい。
【００２０】
本実施形態では、第１扉開放検知部Ｓ１１及び第２扉開放検知部Ｓ１２が、扉部材の開放を検知する扉開放検知手段に相当する。なお、本実施形態のパチンコ遊技機１０では、扉開放検知部Ｓ１１，Ｓ１２を複数備えているが、パチンコ遊技機１０が備える扉開放検知手段の数は、１つであってもよいし、３つ以上であってもよい。
【００２１】
図１に示すように、パチンコ遊技機１０は、前枠１４の前面側に、発射ハンドル１６を備えている。パチンコ遊技機１０では、発射ハンドル１６の操作量（回動量）に応じた強度にて、遊技媒体としての遊技球が発射される。すなわち、パチンコ遊技機１０は、発射ハンドル１６を操作することにより、遊技球の発射強度を調整可能に構成されている。
【００２２】
パチンコ遊技機１０は、前枠１４の前面側に、装飾ランプ１７を備えている。装飾ランプ１７は、演出の１つとして、内蔵された発光体を発光、点滅、及び消灯させる演出（以下、「発光演出」と示す）を実行する。パチンコ遊技機１０は、前枠１４の前面側に、スピーカ１８を備えている。スピーカ１８は、演出の１つとして、人や動物の声、効果音、及び楽曲などの音声を出力する演出（以下、「音声演出」と示す）を実行する。
【００２３】
図３に示すように、遊技盤２０の前面側には、正面視において略円形の遊技領域２１が画成されている。遊技盤２０は、発射ハンドル１６の操作によって発射された遊技球を、遊技領域２１へ案内する案内通路２１ａを備えている。遊技盤２０は、遊技領域２１へ打ち出された遊技球が案内通路２１ａへ逆戻りすることを防止する逆戻り防止弁２１ｂを備えている。発射ハンドル１６の操作によって発射された遊技球は、遊技盤２０を正面視したときの左側に位置する案内通路２１ａで案内され、遊技球の通過方向における案内通路２１ａの最下流に位置する逆戻り防止弁２１ｂを通過して遊技領域２１に到達する。そして、遊技領域２１に到達した遊技球は、遊技領域２１を流下する。
【００２４】
パチンコ遊技機１０は、情報表示パネル２２を備えている。情報表示パネル２２では、パチンコ遊技機１０の制御状態を示す各種の情報が報知される。情報表示パネル２２は、第１特別図柄表示部２２ａを備えている。第１特別図柄表示部２２ａは、所定の図柄を変動表示させるとともに、最終的に第１特別図柄を確定停止表示させる第１特別図柄変動ゲーム（以下、「第１特別ゲーム」と示す）を表示する。情報表示パネル２２は、第２特別図柄表示部２２ｂを備えている。第２特別図柄表示部２２ｂは、所定の図柄を変動表示させるとともに、最終的に第２特別図柄を確定停止表示させる第２特別図柄変動ゲーム（以下、「第２特別ゲーム」と示す）を表示する。以下の説明では、第１特別ゲームと第２特別ゲームを纏めて、単に「特別ゲーム」と示す場合がある。特別図柄は、後述する内部抽選（大当り抽選）の結果を報知するための図柄である。
【００２５】
本明細書において「変動表示」とは、表示されている図柄の種類が時間の経過とともに変化している状態を意味している。本明細書において「確定停止表示」とは、図柄が確定的に停止表示されており、表示されている図柄の種類が変化しない状態を意味している。「確定停止表示」と「導出」は、同じ意味である。特別図柄表示部２２ａ，２２ｂにおいて導出可能な特別図柄には、それぞれ大当り表示結果としての大当り図柄と、はずれ表示結果としてのはずれ図柄とが少なくともある。特別ゲームにおいて、大当り図柄が導出された場合、遊技者は、大当りを認識可能である。特別ゲームにおいて、はずれ図柄が導出された場合、遊技者は、はずれを認識可能である。
【００２６】
本実施形態において、第１特別ゲーム及び第２特別ゲームは、同時に実行されることがなく、且つ第２特別ゲームが第１特別ゲームに優先して実行される。本実施形態では、大当りに当選すると、当該当選の対象となる特別ゲームの終了後、大当り遊技が付与される。詳しくは後述するが、大当り遊技は、遊技者が多数の賞球やその他の特典を獲得し得るため、遊技者にとって極めて有利な状態である。
【００２７】
情報表示パネル２２は、第１特別保留表示部２２ｃを備えている。第１特別保留表示部２２ｃは、始動条件が成立したが未だ実行条件が成立していないことで、その実行が保留されている第１特別ゲームの回数（以下、「第１特別保留数」と示す）を認識可能に表示する。情報表示パネル２２は、第２特別保留表示部２２ｄを備えている。第２特別保留表示部２２ｄは、始動条件が成立したが未だ実行条件が成立していないことで、その実行が保留されている第２特別ゲームの回数（以下、「第２特別保留数」と示す）を認識可能に表示する。例えば、第１特別保留数及び第２特別保留数の上限数（最大数）はそれぞれ４である。また、実行が保留されている第１特別ゲームとは、実行前の第１特別ゲームともいえる。同様に、実行が保留されている第２特別ゲームとは、実行前の第２特別ゲームともいえる。
【００２８】
情報表示パネル２２は、普通図柄表示部２２ｅを備えている。普通図柄表示部２２ｅは、所定の図柄を変動表示させるとともに、最終的に普通図柄を導出させる普通図柄変動ゲーム（以下、「普通ゲーム」と示す）を表示する。普通図柄表示部２２ｅに導出可能な普通図柄には、普通当り図柄と、普通はずれ図柄と、が少なくともある。普通ゲームにおいて普通当り図柄が導出された場合、遊技者は、普通当りを認識可能である。普通ゲームにおいて、普通はずれ図柄が導出された場合、遊技者は、普通はずれを認識可能である。本実施形態では、内部抽選（普通当り抽選）に当選すると、普通ゲームにおいて普通当り図柄が導出されたのち、該普通当りの普通ゲームの終了後に、普通当り遊技が付与される。詳しくは後述するが、普通当り遊技は、遊技者が第２特別ゲームの始動条件を成立させ易くなることから、遊技者にとって有利な状態である。
【００２９】
情報表示パネル２２は、普通保留表示部２２ｆを備えている。普通保留表示部２２ｆは、始動条件が成立したが未だ実行条件が成立していないことで、その実行が保留されている普通ゲームの回数（以下、「普通保留数」という）を認識可能に表示する。例えば、普通保留数の上限数（最大数）は、４である。
【００３０】
その他、例えば、情報表示パネル２２は、遊技球の発射強度に関する報知を行う右打ち表示部を備えていてもよい。また、情報表示パネル２２は、遊技者に払い出す賞球の残り個数を表示する残数表示部を備えていてもよい。また、情報表示パネル２２は、大当り遊技中のラウンド遊技の回数を表示するラウンド数表示部を備えていてもよい。これらの複数の表示部は、同一の部材（本実施形態でいえば、情報表示パネル２２）に設ける必要はなく、本実施形態とは異なる部材に別々に設けられていてもよい。
【００３１】
パチンコ遊技機１０は、遊技盤２０のうち、遊技領域２１の略中央に、各種の装飾が施されたセンター枠２３を備えている。センター枠２３は、開口部２３ａを備えている。センター枠は、センター役やセンター役物ともいわれる。
【００３２】
パチンコ遊技機１０は、演出表示装置２５を備えている。例えば、演出表示装置２５は、液晶ディスプレイや有機ＥＬディスプレイなどの表示装置であってもよく、プロジェクタとスクリーンを含んで構成された表示装置であってもよい。演出表示装置２５は、画像が表示される表示領域２５ｒを備えている。演出表示装置２５は、センター枠２３の開口部２３ａを介して、遊技者が表示領域２５ｒを視認可能となるように、遊技盤２０に組み付けられている。演出表示装置２５は、演出の１つとして、所定のキャラクタや文字を模した絵柄を表示する演出（以下、「表示演出」と示す）を実行する。
【００３３】
パチンコ遊技機１０は、第１始動口２６を備えている。第１始動口２６は、遊技領域２１のうちセンター枠２３の下方に位置している。第１始動口２６は、常時、遊技球を入球させることができるように開口されている。パチンコ遊技機１０は、第１始動口２６に入球した遊技球を検知する第１始動センサＳＥ１（図４に示す）を備えている。例えば、第１始動口２６には入球した遊技球を遊技盤２０の裏側に導く図示しない球通路が連設されており、その球通路に第１始動センサＳＥ１が配設されている。本実施形態では、第１始動センサＳＥ１により遊技球が検知されると、第１特別ゲームの始動条件が成立し得るとともに、賞球の払出条件が成立する。
【００３４】
パチンコ遊技機１０は、第２始動口２７を備えている。第２始動口２７は、遊技領域２１のうちセンター枠２３の右下方に位置している。パチンコ遊技機１０は、第２始動口２７に入球した遊技球を検知する第２始動センサＳＥ２（図４に示す）を備えている。例えば、第２始動口２７には入球した遊技球を遊技盤２０の裏側に導く図示しない球通路が連設されており、その球通路に第２始動センサＳＥ２が配設されている。本実施形態では、第２始動センサＳＥ２により遊技球が検知されると、第２特別ゲームの始動条件が成立し得るとともに、賞球の払出条件が成立する。
【００３５】
また、第２始動口２７は、第１可変部材２８を有する。第１可変部材２８は、遊技球を第２始動口２７へ入球させ易い、又は入球させることができる開状態と、遊技球を第２始動口２７へ入球させ難い、又は入球させることができない閉状態と、に動作可能である。第１可変部材２８は、アクチュエータ（例えば、ソレノイド）から動力を受けて動作する。本実施形態において第１可変部材２８は、普通当り抽選に当選したことを契機に、開状態に動作される。
【００３６】
パチンコ遊技機１０は、大入賞口２９を備えている。大入賞口２９は、遊技領域２１のうちセンター枠２３の右下方に位置している。パチンコ遊技機１０は、大入賞口２９に入球した遊技球を検知するカウントセンサＳＥ３（図４に示す）を備えている。例えば、大入賞口２９には入球した遊技球を遊技盤２０の裏側に導く図示しない球通路が連設されており、その球通路にカウントセンサＳＥ３が配設されている。本実施形態では、カウントセンサＳＥ３により遊技球が検知されると、賞球の払出条件が成立する。
【００３７】
また、大入賞口２９は、第２可変部材３０を有する。第２可変部材３０は、遊技球を大入賞口２９へ入球させ易い、又は入球させることができる開状態と、遊技球を大入賞口２９へ入球させ難い、又は入球させることができない閉状態と、に動作可能である。第２可変部材３０は、アクチュエータ（例えば、ソレノイド）から動力を受けて動作する。本実施形態において第２可変部材３０は、大当りに当選したことを契機に、開状態に動作される。本実施形態において、第２可変部材３０が開状態となる場合には、大入賞口２９への遊技球の入球が許容される。また、本実施形態において、第２可変部材３０が閉状態となる場合には、大入賞口２９への遊技球の入球が許容されない。
【００３８】
パチンコ遊技機１０は、ゲート３１を備えている。ゲート３１は、遊技領域２１のうちセンター枠２３の右方に位置している。ゲート３１には、常時、遊技球を入球させることができるように開放されたゲート口が開口されている。ゲート口には、入球し、通過する遊技球を検知するゲートセンサＳＥ４（図４に示す）が配設されている。本実施形態では、ゲートセンサＳＥ４により遊技球が検知されると、普通ゲームの始動条件が成立し得る。
【００３９】
パチンコ遊技機１０は、アウト口３２を備えている。本実施形態において、第１始動口２６や第２始動口２７、大入賞口２９へ入球しなかった遊技球は、アウト口３２から機外へと排出される。アウト口の数は１つでなくてもよく、複数であってもよい。
【００４０】
なお、パチンコ遊技機１０は、特別ゲームの始動条件や普通ゲームの始動条件が成立し得ない一方、大入賞口２９へ遊技球が入球した場合よりも少ない個数の遊技球を賞球として払い出す払出条件が成立する入賞口（所謂、普通入賞口や一般入賞口）を設けてもよい。また、パチンコ遊技機１０は、釘（遊技釘）や風車など、遊技領域２１を流下する遊技球の挙動に変化を与えるための遊技構成部材を備えている。
【００４１】
パチンコ遊技機１０は、磁気を検知する磁気検知手段としての磁気センサを備えている。本実施形態のパチンコ遊技機１０は、第１磁気センサＺＳ１、第２磁気センサＺＳ２及び第３磁気センサＺＳ３の３つの磁気センサを備えている。本実施形態において、磁気センサＺＳ１〜ＺＳ３は、遊技盤２０の裏側に配設されている。また、磁気センサを遊技盤２０の裏側に配設する場合、遊技盤２０を構成する板材（例えば、ベニヤ板やアクリル板）の近傍に配設することで、遊技盤２０に近づけられた磁石等の磁気を検知し易くできる。例えば、遊技盤２０の裏側に磁気センサを配設する際、遊技盤２０を構成する板材に直接磁気センサを配設する場合には、遊技盤２０を構成する板材から所定距離離れた場所に磁気センサを配置する場合に比して、遊技盤２０の表側の磁気を検知し易くなる。なお、磁気センサＺＳ１〜ＺＳ３のうち一部又は全ての磁気センサは、遊技盤２０の裏側に配設する必要はなく、遊技盤２０の表側に配設してもよい。遊技盤２０の表側に磁気センサを配設する場合、例えば、遊技者から磁気センサを視認できない（又は、視認し難い）ように装飾部材などで覆ってもよい。磁気センサを遊技盤２０の裏側に設けることや、磁気センサを装飾部材で覆うことによって、磁気センサが配設されている位置を特定し難くできるため、磁気を用いた不正行為を抑制することができる。また、磁気センサを遊技盤２０の裏側に設けることや、磁気センサを装飾部材で覆うことによって、磁気センサがパチンコ遊技機１０の表側に露出され難く、外観が良くなる。
【００４２】
第１磁気センサＺＳ１は、遊技盤２０の裏側であって、第１始動口２６の裏側の位置に配設されている。このように、第１磁気センサＺＳ１を第１始動口２６の裏側の位置に配設することで、第１磁気センサＺＳ１により、第１始動口２６付近の磁気（例えば、第１始動口２６へ磁石が近づけられた場合の磁気）を検知することができる。なお、第１磁気センサＺＳ１は、遊技盤２０の裏側に直接的に配設せずに間接的に配設してもよく、例えば、第１始動口２６を含んで構成された第１始動口ユニットに配設してもよい。
【００４３】
第２磁気センサＺＳ２は、遊技盤２０の裏側であって、第２始動口２７の裏側の位置に配設されている。このように、第２磁気センサＺＳ２を第２始動口２７の裏側の位置に配設することで、第２磁気センサＺＳ２により、第２始動口２７付近の磁気（例えば、第２始動口２７へ磁石が近づけられた場合の磁気）を検知することができる。なお、第２磁気センサＺＳ２は、遊技盤２０の裏側に直接的に配設せずに間接的に配設してもよく、例えば、第２始動口２７を含んで構成された第２始動口ユニットに配設してもよい。
【００４４】
第３磁気センサＺＳ３は、遊技盤２０の裏側であって、大入賞口２９の裏側の位置に配設されている。このように、第３磁気センサＺＳ３を大入賞口２９の裏側の位置に配設することで、第３磁気センサＺＳ３により、大入賞口２９付近の磁気（例えば、大入賞口２９へ磁石が近づけられた場合の磁気）を検知することができる。なお、第３磁気センサＺＳ３は、遊技盤２０の裏側に直接的に配設せずに間接的に配設してもよく、例えば、大入賞口２９を含んで構成された大入賞口ユニットに配設してもよい。
【００４５】
次に、パチンコ遊技機１０の遊技状態について説明する。
パチンコ遊技機１０は、大当り確率が異なる遊技状態として、低確率状態と高確率状態とを備えている。大当り確率は、内部抽選（大当り抽選）において大当りに当選する確率である。高確率状態は、低確率状態に比して、大当り確率が高い遊技状態である。高確率状態では、大当りに当選する可能性が低確率状態に比して高まることから、遊技者にとって有利な遊技状態となる。高確率状態は、所謂「確率変動状態（確変状態）」である。
【００４６】
パチンコ遊技機１０は、遊技球の発射個数に対する賞球個数の割合が異なる遊技状態として、低ベース状態と、高ベース状態と、を備えている。高ベース状態は、低ベース状態に比して、遊技球が第２始動口２７に入球する確率が高い遊技状態である。高ベース状態は、所謂「電サポ状態」であり、低ベース状態は、所謂「非電サポ状態」である。高ベース状態では、遊技球が第２始動口２７に入球する確率が高まることから、遊技者にとって有利な遊技状態となる。
【００４７】
例えば、高ベース状態は、次に説明する３つの制御のうち任意に選択された１の制御を行うことにより、又は複数の制御を組み合わせて行うことにより実現できる。第１の制御は、普通ゲームの変動時間を、低ベース状態のときよりも短くする普通図柄の変動時間短縮制御である。第２の制御は、普通当り抽選に当選する確率（普通当り確率）を、低ベース状態のときよりも高確率に変動させる普通図柄の確率変動制御である。第３の制御は、１回の普通当り遊技における第１可変部材２８の合計開放時間を、低ベース状態のときよりも長くする開放時間延長制御である。なお、開放時間延長制御としては、１回の普通当り遊技における第１可変部材２８の開放回数を、低ベース状態のときよりも多くする制御、及び普通当り遊技における第１可変部材２８の１回の開放時間を、低ベース状態のときよりも長くする制御のうち、少なくとも一方の制御を行うとよい。また、高ベース状態は、次に説明する第４の制御を組み合わせて実現してもよい。第４の制御は、特別ゲームの変動時間（例えば、平均の変動時間）を、低ベース状態のときよりも短くなり易くする特別図柄の変動時間短縮制御である。特別図柄の変動時間短縮制御を行う場合、高ベース状態は、所謂「変動時間短縮状態」となる。
【００４８】
次に、パチンコ遊技機１０における大当りについて説明する。
本実施形態のパチンコ遊技機１０は、特別図柄の大当り図柄として、複数種類の大当り図柄を備えている。複数種類の大当り図柄は、第１の大当り図柄と、第２の大当り図柄と、に分類されている。複数種類の大当り図柄には、それぞれ大当りの種類が定められており、大当りの種類は複数ある。複数種類の大当り図柄には、大当り遊技の終了後の遊技状態が定められていてもよい。
【００４９】
大当り遊技では、最初に、予め定めたオープニング期間にわたって、大当り遊技の開始を報知するオープニング演出が行われる。大当り遊技では、オープニング演出の終了後に、大入賞口２９が開放されるラウンド遊技が行われる。ラウンド遊技は、予め定めた上限回数を上限として行われる。１回のラウンド遊技において、大入賞口２９は、予め定めた上限個数の遊技球が入球する第１終了条件、又は予め定めた上限時間が経過する第２終了条件が成立する迄の間、開放される。ラウンド遊技では、ラウンド演出が行われる。そして、大当り遊技では、最終回のラウンド遊技が終了すると、予め定めたエンディング期間にわたって、大当り遊技の終了を報知するエンディング演出が行われる。大当り遊技は、エンディング演出の終了に伴って終了される。
【００５０】
第１の大当り図柄に分類されている大当り図柄及び第２の大当り図柄に分類されている大当り図柄には、ラウンド遊技の上限回数が１０回である大当り遊技が定められている。また、第１の大当り図柄に分類されている大当り図柄には、大当り遊技の終了後の遊技状態として、次回の大当り遊技が付与される迄の間の高確率状態と、次回の大当り遊技が付与される迄の間の高ベース状態と、が定められている。一方、第２の大当り図柄に分類されている大当り図柄には、大当り遊技の終了後に付与する遊技状態として、低確率状態と、予め定めた上限回数（例えば、１００回）の特別ゲームが終了される迄の間、又は上限回数の特別ゲームが終了される前に大当り遊技が付与される迄の間の高ベース状態と、が定められている。
【００５１】
本実施形態では、高確率状態が付与されるか否かの観点によれば、有利度は「第２の大当り図柄＜第１の大当り図柄」という関係となる。高ベース状態が付与される特別ゲームの回数が多いか少ないかの観点によれば、有利度は「第２の大当り図柄＜第１の大当り図柄」という関係となる。したがって、第１の大当り図柄は、高ベース状態が付与される特別ゲームの回数が多く、さらに高確率状態が付与されるために、第２の大当り図柄に比して有利な大当り図柄といえる。
【００５２】
以下の説明において、第１の大当り図柄に分類される大当り図柄に基づく大当り遊技を「第１大当り遊技」、第２の大当り図柄に分類される大当り図柄に基づく大当り遊技を「第２大当り遊技」と示す場合がある。また、第１大当り遊技に対応する大当りの種類を「第１大当り」、第２大当り遊技に対応する大当りの種類を「第２大当り」と示す場合がある。
【００５３】
また、本実施形態における演出表示装置２５が実行可能な表示演出には、演出用の図柄（以下、演出図柄という）が複数列で変動表示され、最終的に演出図柄の組み合わせが導出される演出図柄変動ゲーム（以下、「演出ゲーム」という）がある。演出図柄は、キャラクタや模様などの装飾が施された図柄であって、表示演出を多様化させるためのものであり、「装飾図柄」や「飾り図柄」ともいわれる。本実施形態において演出ゲームは、第１列、第２列及び第３列の図柄列をそれぞれ縦方向に変動表示（スクロール表示）させて行われる。第１列の演出図柄は所謂第１図柄であり、第２列の演出図柄は所謂第２図柄であり、第３列の演出図柄は所謂第３図柄である。
【００５４】
演出ゲームは、特別ゲームと連動して行われる。具体的に、演出ゲームは、特別ゲームの開始に伴って開始され、特別ゲームの終了に伴って終了される。そして、演出ゲームでは、特別ゲームにて導出された特別図柄に応じた演出図柄の組み合わせが導出される。特別ゲームにおいて大当り図柄が導出される場合には、演出ゲームにおいて演出図柄による大当り図柄が導出される。例えば、演出図柄による大当り図柄は、「３３３」や「７７７」などのように、全列の演出図柄が同一となる図柄組み合わせである。特別ゲームにおいて、はずれ図柄が導出される場合には、演出ゲームにおいて、演出図柄によるはずれ図柄が導出される。例えば、演出図柄によるはずれ図柄は、「３２３」や「５５６」、［４２６］などのように、少なくとも一部列の演出図柄が他列の演出図柄とは異なる図柄組み合わせである。なお、演出ゲームにおいては、演出図柄が確定停止表示される前に一旦停止表示されてもよい。本明細書において「一旦停止表示」とは、例えば「ゆれ変動状態」など、図柄が再び変動表示される可能性があることを示す状態を意味している。
【００５５】
演出ゲームは、リーチを形成して行うリーチ演出を含む場合がある。リーチは、複数列のうち特定の列（本実施形態では、第１列と第３列）に同一の演出図柄が一旦停止表示されており、且つ特定の列とは異なる列（本実施形態では、第２列）の演出図柄が引き続き変動表示されている状態である。例えば、リーチ演出には、登場させるキャラクタや演出図柄の動作が異なる複数種類のリーチ演出があってもよい。
【００５６】
次に、パチンコ遊技機１０の電気的構成について説明する。
図４に示すように、パチンコ遊技機１０は、主基板４０を備えている。主基板４０は、各種の処理を行い、該処理の結果に応じて制御信号（制御コマンド）などの制御情報を出力する。パチンコ遊技機１０は、電源ユニット４１を備えている。パチンコ遊技機１０は、遊技盤入出力基板４２を備えている。パチンコ遊技機１０は、情報基板４３を備えている。パチンコ遊技機１０は、主制御中継端子板４４を備えている。パチンコ遊技機１０は、払出制御基板４５を備えている。パチンコ遊技機１０は、外部端子板４６を備えている。パチンコ遊技機１０は、貸出装置接続端子板４７を備えている。パチンコ遊技機１０は、発射制御基板４８を備えている。パチンコ遊技機１０は、前枠信号基板４９を備えている。
【００５７】
また、パチンコ遊技機１０は、副基板５０を備えている。副基板５０は、主基板４０が出力する制御情報に基づき所定の処理を行う。例えば、副基板５０は、装飾ランプ１７による発光演出、スピーカ１８による音声演出及び演出表示装置２５による表示演出を実行させるための処理を行う。
【００５８】
パチンコ遊技機１０において主基板４０、電源ユニット４１、遊技盤入出力基板４２、情報基板４３、主制御中継端子板４４、払出制御基板４５、外部端子板４６、貸出装置接続端子板４７、発射制御基板４８、前枠信号基板４９及び副基板５０は、遊技盤２０の裏側に配設されている。本実施形態における遊技盤ユニットには、主基板４０、電源ユニット４１、遊技盤入出力基板４２、情報基板４３、主制御中継端子板４４、払出制御基板４５、外部端子板４６、貸出装置接続端子板４７、発射制御基板４８、前枠信号基板４９及び副基板５０が含まれる。
【００５９】
主基板４０は、遊技盤入出力基板４２、情報基板４３、主制御中継端子板４４及び副基板５０と接続されている。主基板４０は、主基板４０と遊技盤入出力基板４２の間で双方向に制御情報が送信されるように、遊技盤入出力基板４２と接続されている。主基板４０は、主基板４０から一方向に制御情報が送信されるように、情報基板４３と接続されている。主基板４０は、主基板４０と主制御中継端子板４４の間で双方向に制御情報が送信されるように、主制御中継端子板４４と接続されている。主基板４０は、主基板４０から一方向に制御情報が送信されるように、副基板５０と接続されている。
【００６０】
また、主制御中継端子板４４は、払出制御基板４５と接続されている。主制御中継端子板４４は、主制御中継端子板４４と払出制御基板４５の間で双方向に制御情報が送信されるように、払出制御基板４５と接続されている。また、払出制御基板４５は、外部端子板４６、貸出装置接続端子板４７及び発射制御基板４８と接続されている。払出制御基板４５は、払出制御基板４５から一方向に制御情報が送信されるように、外部端子板４６と接続されている。払出制御基板４５は、払出制御基板４５と貸出装置接続端子板４７の間で双方向に制御情報が送信されるように、貸出装置接続端子板４７と接続されている。払出制御基板４５は、払出制御基板４５と発射制御基板４８の間で双方向に制御情報が送信されるように、発射制御基板４８と接続されている。
【００６１】
また、発射制御基板４８は、貸出装置接続端子板４７及び前枠信号基板４９と接続されている。発射制御基板４８は、発射制御基板４８と貸出装置接続端子板４７の間で双方向に制御情報が送信されるように、貸出装置接続端子板４７と接続されている。発射制御基板４８は、発射制御基板４８と前枠信号基板４９の間で双方向に制御情報が送信されるように、前枠信号基板４９と接続されている。また、電源ユニット４１は、払出制御基板４５及び貸出装置接続端子板４７と接続されている。
【００６２】
まず、主基板４０について説明する。
主基板４０は、主制御用ＣＰＵ４０ａと、主制御用ＲＯＭ４０ｂと、主制御用ＲＡＭ４０ｃと、を備えている。主制御用ＣＰＵ４０ａは、主制御用ＣＰＵ４０ａの制御プログラム（主制御用プログラム）を実行することにより、各種の処理を行う。主制御用ＲＯＭ４０ｂは、主制御用ＣＰＵ４０ａの制御プログラムや、所定の抽選に用いられる抽選テーブルや判定値などを記憶している。
【００６３】
また、主制御用ＲＯＭ４０ｂは、複数の変動パターンを記憶している。複数種類の変動パターンは、特別ゲームが開始されてから特別ゲームが終了されるまでの変動時間が対応付けられている。すなわち、変動パターンには、特別ゲームの変動時間が対応付けられている。このため、変動パターンは、特別ゲームの変動時間を特定可能な情報であるといえる。また、変動パターンは、特別ゲームが開始されてから特別ゲームが終了されるまでの間に行われる演出ゲームの演出内容のうち一部又は全てを特定可能な情報であってもよい。変動パターンには、例えば、大当り変動パターンと、はずれ変動パターンと、がある。大当り変動パターンには、演出ゲームの演出内容として、リーチ演出を経て最終的に演出図柄による大当り図柄を導出させる演出内容が対応付けられている。はずれ変動パターンには、演出ゲームの演出内容として、リーチ演出を経ない又はリーチ演出を経て、最終的にはずれの図柄組み合わせを導出させる演出内容が対応付けられている。
【００６４】
主制御用ＲＡＭ４０ｃは、パチンコ遊技機１０の動作中に書き換えられる様々な情報を記憶可能に構成されている。主制御用ＲＡＭ４０ｃが記憶する情報には、例えば、フラグ、カウンタ及びタイマなどがある。また、本実施形態の主基板４０は、乱数を生成可能に構成されている。例えば、乱数は、乱数の値を所定の周期毎に更新する乱数生成回路を主基板４０に搭載することにより、ハードウェア乱数として生成してもよく、主制御用ＣＰＵ４０ａが所定の制御周期毎に乱数の値を更新することにより、ソフトウェア乱数として生成してもよい。
【００６５】
主制御用ＣＰＵ４０ａは、図示しないポートを介して、第１始動センサＳＥ１及び第２始動センサＳＥ２と接続されている。主制御用ＣＰＵ４０ａは、図示しないポートを介して、第１始動センサＳＥ１及び第２始動センサＳＥ２が出力する検知信号を入力可能に構成されている。
【００６６】
次に、電源ユニット４１について説明する。
電源ユニット４１は、遊技場の主電源から供給される電源電圧（例えば、ＡＣ２４Ｖ）を第１の電源電圧（例えば、ＤＣ３５Ｖ）に変換する。更に、電源ユニット４１は、変換後の第１の電源電圧を第２の電源電圧（例えば、ＤＣ１２Ｖ）に変換する。
【００６７】
貸出装置接続端子板４７には、電源ユニット４１から遊技場の主電源から供給される電源電圧が供給される。一方、払出制御基板４５には、電源ユニット４１において変換された電源電圧が供給される。払出制御基板４５へ供給された電源電圧は、複数本の電源供給線を介して、主制御中継端子板４４及び発射制御基板４８へと供給される。
【００６８】
因みに、主制御中継端子板４４へ供給された電源電圧は、複数本の電源供給線を介して、主基板４０へ供給される。更に、主基板４０へ供給された電源電圧は、複数本の電源供給線を介して、遊技盤入出力基板４２、情報基板４３及び副基板５０へと供給される。また、発射制御基板４８へ供給された電源電圧は、複数本の電源供給線を介して、前枠信号基板４９へと供給される。
【００６９】
なお、電源ユニット４１にて変換された電源電圧の全ての電源電圧が、主基板４０、遊技盤入出力基板４２、情報基板４３、主制御中継端子板４４、払出制御基板４５、発射制御基板４８、前枠信号基板４９及び副基板５０へ供給されなくてもよい。すなわち、電源ユニット４１にて変換された電源電圧の全ての電源電圧のうち一部の電源電圧が、主基板４０、遊技盤入出力基板４２、情報基板４３、主制御中継端子板４４、払出制御基板４５、発射制御基板４８、前枠信号基板４９及び副基板５０へ供給されるように構成してもよい。また、主基板４０、遊技盤入出力基板４２、情報基板４３、主制御中継端子板４４、払出制御基板４５、発射制御基板４８、前枠信号基板４９及び副基板５０のうち一部の基板については、電源ユニット４１にて変換された電源電圧の全ての電源電圧が供給されるように構成してもよい。つまり、主基板４０、遊技盤入出力基板４２、情報基板４３、主制御中継端子板４４、払出制御基板４５、発射制御基板４８、前枠信号基板４９及び副基板５０のうち一部の基板については、電源ユニット４１にて変換された電源電圧の一部の電源電圧が供給されるように構成してもよい。
【００７０】
本実施形態の電源ユニット４１では、第１の電源電圧と第２の電源電圧の２種類の電源電圧に変換されるように構成したが、３種類以上の電源電圧（例えば、ＤＣ３５Ｖ、ＤＣ１２Ｖ及びＤＣ５Ｖ）に変換されるように構成してもよい。
【００７１】
次に、遊技盤入出力基板４２について説明する。
遊技盤入出力基板４２は、図示しないポートを介して、第１磁気センサＺＳ１、第２磁気センサＺＳ２及び第３磁気センサＺＳ３と接続されている。遊技盤入出力基板４２は、図示しないポートを介して、第１磁気センサＺＳ１からの磁気検知信号の状態を入力可能に構成されている。同様に、遊技盤入出力基板４２は、図示しないポートを介して、第２磁気センサＺＳ２からの磁気検知信号の状態、及び、第３磁気センサＺＳ３からの磁気検知信号の状態を入力可能に構成されている。詳しくは後述するが、磁気検知信号の状態によって、磁気が検知されていること、又は、磁気が検知されていないことを特定することが可能となっている。因みに、本実施形態において第１磁気センサＺＳ１〜第３磁気センサＺＳ３からの磁気検知信号の状態は、遊技盤入出力基板４２に入力された後、遊技盤入出力基板４２と接続されている主基板４０へと入力される。このように、磁気検知信号は、制御手段としての機能を実現する主制御用ＣＰＵ４０ａを有する主基板４０へと入力される。
【００７２】
因みに、本実施形態において、遊技盤入出力基板４２以外の基板へ出力される磁気検知信号の状態は、１つである。第１磁気センサＺＳ１からの磁気検知信号、第２磁気センサＺＳ２からの磁気検知信号及び第３磁気センサＺＳ３からの磁気検知信号のうち少なくとも１つが特定状態であるときには、遊技盤入出力基板４２以外の基板へ出力される磁気検知信号の状態は特定状態となる。そして、第１磁気センサＺＳ１からの磁気検知信号、第２磁気センサＺＳ２からの磁気検知信号及び第３磁気センサＺＳ３からの磁気検知信号のうち全てが非特定状態であるときには、遊技盤入出力基板４２以外の基板へ出力される磁気検知信号の状態は非特定状態となる。すなわち、本実施形態では、第１磁気センサＺＳ１〜第３磁気センサＺＳ３のうち少なくとも１つの磁気センサから出力される磁気検知信号の状態が特定状態であれば、磁気が検知されたものとして各種の制御及び動作が行われることになる。なお、本実施形態において、遊技盤入出力基板４２以外の基板へ出力される磁気検知信号の状態は、磁気検知手段に相当する磁気センサＺＳ１〜ＺＳ３からの磁気検知信号（又は、磁気検知信号の状態）に相当する。
【００７３】
遊技盤入出力基板４２は、図示しないポートを介して、カウントセンサＳＥ３及びゲートセンサＳＥ４と接続されている。遊技盤入出力基板４２は、図示しないポートを介して、カウントセンサＳＥ３が出力する検知信号を入力可能に構成されている。同様に、遊技盤入出力基板４２は、図示しないポートを介して、ゲートセンサＳＥ４が出力する検知信号を入力可能に構成されている。因みに、本実施形態においてカウントセンサＳＥ３が出力する検知信号及びゲートセンサＳＥ４が出力する検知信号は、遊技盤入出力基板４２に入力された後、遊技盤入出力基板４２と接続されている主基板４０へと入力される。
【００７４】
その他、遊技盤入出力基板４２には、第１可変部材２８へ動力を与えるアクチュエータや、第２可変部材３０へ動力を与えるアクチュエータが接続されている。例えば、主基板４０の主制御用ＣＰＵ４０ａは、図示しない駆動回路を介して、第１可変部材２８へ動力を与えるアクチュエータや第２可変部材３０へ動力を与えるアクチュエータの動作を制御可能となっている。この駆動回路は、主基板４０に搭載されていてもよいし、遊技盤入出力基板４２に搭載されていてもよい。
【００７５】
次に、情報基板４３について説明する。
情報基板４３には、情報表示パネル２２と接続されている。主基板４０の主制御用ＣＰＵ４０ａは、図示しない駆動回路を介して、情報表示パネル２２の表示内容を制御可能となっている。この駆動回路は、主基板４０に搭載されていてもよいし、情報基板４３に搭載されていてもよい。
【００７６】
次に、主制御中継端子板４４について説明する。
主制御中継端子板４４は、前述したように、主基板４０と接続されているとともに、払出制御基板４５と接続されている。主基板４０から主制御中継端子板４４へ出力された制御情報は、主制御中継端子板４４を介して、払出制御基板４５へと出力され、払出制御基板４５に入力される。また、払出制御基板４５から主制御中継端子板４４へ出力された制御情報は、主制御中継端子板４４を介して、主基板４０へと出力され、主基板４０に入力される。主制御中継端子板４４では、主基板４０と払出制御基板４５の間での制御情報の入出力を中継し、主基板４０と払出制御基板４５の間での制御情報の入出力が主制御中継端子板４４によって補助される。本実施形態において、主基板４０は、主制御中継端子板４４を介して払出制御基板４５と接続されている。
【００７７】
次に、払出制御基板４５について説明する。
払出制御基板４５は、払出制御用ＣＰＵ４５ａと、払出制御用ＲＯＭ４５ｂと、払出制御用ＲＡＭ４５ｃと、を備えている。例えば、払出制御用ＣＰＵ４５ａは、払出制御用ＣＰＵ４５ａの制御プログラム（払出制御用プログラム）を実行することにより、各種の処理（例えば、遊技球の払い出しに関する処理）を行う。払出制御用ＲＯＭ４５ｂは、払出制御用ＣＰＵ４５ａの制御プログラムなどを記憶している。また、払出制御用ＲＡＭ４５ｃは、パチンコ遊技機１０の動作中に適宜書き換えられる様々な情報を記憶可能に構成されている。
【００７８】
払出制御用ＣＰＵ４５ａは、主基板４０から遊技球の払い出しを支持する賞球信号を入力した場合、遊技球の払い出しを制御する。例えば、払出制御基板４５には、図示しない払出ユニットが接続されている。払出ユニットは、遊技球を払い出す部材に相当する。そして、払出制御用ＣＰＵ４５ａは、賞球信号に基づき払出ユニットを駆動させ、所定個数の遊技球が払い出されるように制御する。
【００７９】
また、払出制御基板４５には、外部端子板４６が接続されている。外部端子板４６には、外部装置（外部機器）と接続可能な接続端子が設けられており、主制御用ＣＰＵ４０ａは、主制御中継端子板４４及び払出制御基板４５を介して、接続端子と接続されている外部装置へと出力される外部信号の出力を制御可能となっている。なお、接続端子と接続されている外部装置へと出力される外部信号の出力は、払出制御用ＣＰＵ４５ａが制御可能に構成してもよく、この場合、払出制御用ＣＰＵ４５ａは外部信号の出力を制御可能な制御手段としての機能を実現することになる。
【００８０】
その他、払出制御基板４５には、図示しないポートを介して、遊技盤２０から外部へ排出された遊技球を検知するアウト球センサと接続されるようにしてもよい。このとき、払出制御基板４５は、図示しないポートを介して、アウト球センサが出力する検知信号を入力可能に構成するとよい。
【００８１】
次に、外部端子板４６について説明する。
外部端子板４６には、外部装置（外部機器）と接続可能な接続端子が設けられている。本実施形態における外部端子板４６には、複数の接続端子が設けられている。外部端子板４６に設けられた接続端子には、遊技機設置設備に配置されるデータカウンタやホールコンピュータなどが接続される。
【００８２】
次に、貸出装置接続端子板４７について説明する。
貸出装置接続端子板４７には、遊技球貸出装置（ＣＲユニットともいわれる）と接続可能な接続端子が設けられている。貸出装置接続端子板４７は、外部装置である遊技球貸出装置と制御情報を送受信可能に構成されている。遊技球貸出装置と貸出装置接続端子板４７で送受信される制御情報は、遊技球の貸出に関する制御情報が含まれ、例えば、遊技球を貸し出したことを特定可能な制御情報や貸し出すことのできる遊技球の上限を特定可能な情報などがある。また、遊技球貸出装置と接続可能な接続端子には、貸出装置接続端子板４７に供給された電源電圧を遊技球貸出装置に供給するための端子が含まれている。
【００８３】
次に、発射制御基板４８について説明する。
発射制御基板４８には、例えば、発射ユニットが接続される。発射ユニットは、発射させる遊技球が送り出される発射部と、遊技球を発射させる打球杵と、を備えている。発射制御基板４８には、例えば、発射部へ遊技球を送り出すアクチュエータが接続される。例えば、発射制御基板４８は、図示しない駆動回路を介して、発射部へ遊技球を送り出すアクチュエータの動作を制御可能となっている。また、発射制御基板４８には、例えば、打球杵に動力を与えるアクチュエータが接続される。例えば、発射制御基板４８は、図示しない駆動回路を介して、発射槌へ動力を与えるアクチュエータの動作を制御可能となっている。
【００８４】
次に、前枠信号基板４９について説明する。
前枠信号基板４９は、図示しないポートを介して、第１扉開放検知部Ｓ１１及び第２扉開放検知部Ｓ１２と接続されている。また、前枠信号基板４９は、図示しないポートを介して、第１扉開放検知部Ｓ１１からの扉開閉信号の状態を入力可能に構成されている。同様に、前枠信号基板４９は、図示しないポートを介して、第２扉開放検知部Ｓ１２からの扉開放信号の状態を入力可能に構成されている。
【００８５】
本実施形態において、扉開放信号は、第１状態と、第２状態と、を取り得る。このように、扉開放信号の状態には、第１状態と、第２状態と、がある。本実施形態では、扉開放検知部Ｓ１１，Ｓ１２が中枠１３及び前枠１４のうち少なくとも一方が開放されていることを検知している場合、扉開放信号の状態は「第１状態」となる。一方、本実施形態では、扉開放検知部Ｓ１１，Ｓ１２が中枠１３及び前枠１４が閉鎖されていることを検知している場合、扉開放信号の状態は「第２状態」となる。
【００８６】
本実施形態では、中枠１３及び前枠１４のうち少なくとも一方が開放されていることが「扉部材が開放されていること」に相当し、中枠１３及び前枠１４が閉鎖されていることが「扉部材が開放されていないこと」に相当する。本実施形態において扉開放信号は、開放検知信号に相当する。そして、本実施形態において、開放検知信号に相当する扉開放信号の状態には、扉部材の開放が検知されていることを特定できる第１状態と、扉部材の開放が検知されていないことを特定できる第２状態と、があることがわかる。
【００８７】
因みに、本実施形態において扉開放信号の状態が第１状態であるとき、扉開放信号の出力状態はローレベル（ＬＯＷ−Ｌｅｖｅｌ）となる。一方、本実施形態において扉開放信号の状態が第２状態であるとき、扉開放信号の出力状態はハイレベル（ＨＩＧＨ−Ｌｅｖｅｌ）となる。扉開放信号の出力状態がローレベルであるとき（扉開放信号の状態が第１状態であるとき）と、扉開放信号の出力状態がハイレベルであるとき（扉開放信号の状態が第２状態であるとき）では、扉開放信号の電圧値が異なる。本実施形態において、扉開放信号の出力状態がローレベルであるときの当該扉開放信号の電圧値は、扉開放信号の出力状態がハイレベルであるときの当該扉開放信号の電圧値よりも低い。例えば、扉開放信号の出力状態がローレベルであるときの当該扉開放信号の電圧値は、０Ｖであってもよいし、０Ｖよりも高い値であってもよい。
【００８８】
これにより、本実施形態では、扉開放信号の状態によって、中枠１３と前枠１４のうち少なくとも一方が開放されていること、又は、中枠１３と前枠１４の両方が閉鎖されていることを特定することが可能となっている。
【００８９】
因みに、本実施形態において第１扉開放検知部Ｓ１１及び第２扉開放検知部Ｓ１２からの扉開放信号の状態は、前枠信号基板４９に入力された後、発射制御基板４８、払出制御基板４５及び主制御中継端子板４４を介して、主基板４０へと入力される。また、本実施形態において第１扉開放検知部Ｓ１１及び第２扉開放検知部Ｓ１２からの扉開放信号の状態は、前枠信号基板４９に入力された後、発射制御基板４８、払出制御基板４５、主制御中継端子板４４及び主基板４０を介して、遊技盤入出力基板４２へと入力される。
【００９０】
以上のように、扉開放信号の状態は、主基板４０、遊技盤入出力基板４２、主制御中継端子板４４、払出制御基板４５、発射制御基板４８及び前枠信号基板４９を介する。これにより、主基板４０、遊技盤入出力基板４２、主制御中継端子板４４、払出制御基板４５、発射制御基板４８及び前枠信号基板４９において、扉開放信号の状態を管理することが可能となり、例えば、扉開放信号の状態に応じた制御を行うことができ、扉開放信号の状態を利用し易くなる。
【００９１】
一方、扉開放信号の状態は、外部装置と接続される外部端子板４６及び貸出装置接続端子板４７を介さない。このように、扉開放信号の状態は、外部装置と接続可能な基板を介さないことから、外部装置などを用いて扉開放信号の状態を変更するなどといった不正を抑制することができ、セキュリティが向上する。以上のように、主基板４０、遊技盤入出力基板４２、主制御中継端子板４４、払出制御基板４５、発射制御基板４８及び前枠信号基板４９を扉開放信号の状態が介す一方、外部端子板４６及び貸出装置接続端子板４７を扉開放信号の状態が介さないため、扉開放信号の状態を利用し易くしつつ、セキュリティを向上させることができる。なお、ここでいう「扉開放信号の状態が基板を介す」とは、扉開放信号の状態が基板に入力されること、及び、扉開放信号の状態が基板から出力されることのうち少なくとも一方を意味するものである。
【００９２】
因みに、本実施形態において、前枠信号基板４９以外の基板へ出力される扉開放信号の状態は、１つである。第１扉開放検知部Ｓ１１からの扉開放信号の状態及び第２扉開放検知部Ｓ１２からの扉開放信号の状態のうち少なくとも一方が第１状態であるときには、前枠信号基板４９以外の基板へ出力される扉開放信号の状態は第１状態となる。そして、第１扉開放検知部Ｓ１１からの扉開放信号の状態及び第２扉開放検知部Ｓ１２からの扉開放信号の状態の両方が第２状態であるときには、前枠信号基板４９以外の基板へ出力される扉開放信号の状態は第２状態となる。すなわち、本実施形態では、第１扉開放検知部Ｓ１１と第２扉開放検知部Ｓ１２のうち少なくとも一方が開放されていることを検知している場合には、中枠１３及び前枠１４のうち少なくとも一方が開放されているものとして各種の制御及び動作が行われることになる。なお、本実施形態において、前枠信号基板４９以外の基板へ出力される扉開放信号の状態は、扉開放検知手段に相当する扉開放検知部Ｓ１１，Ｓ１２からの開放検知信号（又は、開放検知信号の状態）に相当する。
【００９３】
その他、前枠信号基板４９には、図示しないポートを介して、下皿が満杯状態であることを検知する満杯スイッチが接続されるようにしてもよい。このとき、前枠信号基板４９は、図示しないポートを介して、満杯スイッチが出力する検知信号を入力可能に構成するとよい。また、前枠信号基板４９には、発射ハンドル１６の操作量に応じて抵抗値が変化する可変抵抗器が接続されるようにしてもよい。また、前枠信号基板４９には、発射ハンドル１６の操作を検知するタッチセンサが接続されるようにしてもよい。このとき、前枠信号基板４９は、図示しないポートを介して、タッチセンサが出力する検知信号を入力可能に構成するとよい。
【００９４】
次に、副基板５０について説明する。
副基板５０は、前述したように、主基板４０と接続されている。副基板５０は、副制御用ＣＰＵ５０ａと、副制御用ＲＯＭ５０ｂと、副制御用ＲＡＭ５０ｃと、を備えている。例えば、副制御用ＣＰＵ５０ａは、副制御用ＣＰＵ５０ａの制御プログラム（副制御用プログラム）を実行することにより、各種の処理（例えば、演出に関する処理）を行う。副制御用ＲＯＭ５０ｂは、副制御用ＣＰＵ５０ａの制御プログラムや、抽選に用いられる抽選テーブルや判定値などを記憶している。副制御用ＲＯＭ５０ｂは、演出表示装置２５における表示演出の態様（内容）を特定可能な表示演出データを記憶している。また、副制御用ＲＯＭ５０ｂは、装飾ランプ１７における発光演出の態様（内容）を特定可能な発光演出データを記憶している。副制御用ＲＯＭ５０ｂは、スピーカ１８における音声演出の態様（内容）を特定可能な音声演出データを記憶している。
【００９５】
副制御用ＲＡＭ５０ｃは、パチンコ遊技機１０の動作中に適宜書き換えられる様々な情報を記憶可能に構成されている。副制御用ＲＡＭ５０ｃが記憶する情報には、例えば、フラグ、カウンタ及びタイマなどがある。また、本実施形態の副基板５０は、乱数を生成可能に構成されている。例えば、乱数は、乱数の値を所定の周期毎に更新する乱数生成回路を副基板５０に搭載することにより、ハードウェア乱数として生成してもよく、副制御用ＣＰＵ５０ａが所定の制御周期毎に乱数の値を更新することにより、ソフトウェア乱数として生成してもよい。
【００９６】
以下、主基板４０の主制御用ＣＰＵ４０ａや副基板５０の副制御用ＣＰＵ５０ａが実行する制御内容を説明する。まず、主基板４０の主制御用ＣＰＵ４０ａが、制御プログラムに基づき実行する各種処理について説明する。
【００９７】
最初に、主制御用ＣＰＵ４０ａが行う特別図柄入力処理について説明する。
主制御用ＣＰＵ４０ａは、第１始動センサＳＥ１からの検知信号を入力したか否かに基づいて、第１始動口２６に遊技球が入球したかを判定する（以下、第１入力判定という）。第１入力判定の判定結果が肯定の場合、主制御用ＣＰＵ４０ａは、主制御用ＲＡＭ４０ｃに記憶されている第１特別保留数が上限数（本実施形態では、４）未満であるかを判定する（以下、第１保留判定という）。第１保留判定の判定結果が肯定の場合、主制御用ＣＰＵ４０ａは、第１特別保留数に１加算して更新する。また、主制御用ＣＰＵ４０ａは、更新後の第１特別保留数を表示するように情報基板４３の情報表示パネル２２を制御する。また、主制御用ＣＰＵ４０ａは、更新後の第１特別保留数を特定可能な制御情報（以下、第１保留数コマンドと示す）を出力バッファに格納する。なお、本実施形態において、出力バッファに格納された制御情報（コマンド）は、次回以降の割り込み処理において副基板５０へと出力される。
【００９８】
また、第１保留判定の判定結果が肯定の場合、主制御用ＣＰＵ４０ａは、主基板４０内で生成している乱数を取得し、取得した乱数に基づく乱数情報を主制御用ＲＡＭ４０ｃに記憶させる。このとき、主制御用ＣＰＵ４０ａは、第１特別ゲーム用の乱数情報であること、及び乱数情報の記憶順序が特定可能となるように記憶させる。本実施形態では、第１特別ゲーム用の乱数情報を主制御用ＲＡＭ４０ｃに記憶させておくことで、第１特別ゲームの実行条件が成立するまで、その実行を保留する。なお、乱数情報は、取得した乱数そのものであってもよく、乱数を所定の手法により加工した情報であってもよい。なお、例えば、乱数は、大当り抽選に用いる乱数、大当り図柄の決定に用いる乱数、変動パターンの決定に用いる乱数などである。
【００９９】
また、第１入力判定の判定結果が否定の場合、第１保留判定の判定結果が否定の場合、及び、第１特別ゲーム用の乱数情報を主制御用ＲＡＭ４０ｃに記憶させた後、主制御用ＣＰＵ４０ａは、第２始動センサＳＥ２からの検知信号を入力したか否かに基づいて、第２始動口２７に遊技球が入球したかを判定する（以下、第２入力判定という）。第２入力判定の判定結果が否定の場合、主制御用ＣＰＵ４０ａは、特別図柄入力処理を終了する。
【０１００】
一方、第２入力判定の判定結果が肯定の場合、主制御用ＣＰＵ４０ａは、主制御用ＲＡＭ４０ｃに記憶されている第２特別保留数が上限数（本実施形態では、４）未満であるかを判定する（以下、第２保留判定という）。第２保留判定の判定結果が否定の場合、主制御用ＣＰＵ４０ａは、特別図柄入力処理を終了する。
【０１０１】
また、第２保留判定の判定結果が肯定の場合、主制御用ＣＰＵ４０ａは、第２特別保留数に１加算して更新する。また、主制御用ＣＰＵ４０ａは、更新後の第２特別保留数を表示するように情報基板４３の情報表示パネル２２を制御する。また、主制御用ＣＰＵ４０ａは、更新後の第２特別保留数を特定可能な制御情報（以下、第２保留数コマンドと示す）を出力バッファに格納する。
【０１０２】
また、第２保留判定の判定結果が肯定の場合、主制御用ＣＰＵ４０ａは、主基板４０内で生成している乱数を取得し、取得した乱数に基づく乱数情報を主制御用ＲＡＭ４０ｃに記憶させ、特別図柄入力処理を終了する。このとき、主制御用ＣＰＵ４０ａは、第２特別ゲーム用の乱数情報であること、及び乱数情報の記憶順序が特定可能となるように記憶させる。本実施形態では、第２特別ゲーム用の乱数情報を主制御用ＲＡＭ４０ｃに記憶させておくことで、第２特別ゲームの実行条件が成立するまで、その実行を保留する。
【０１０３】
次に、主制御用ＣＰＵ４０ａが行う特別図柄開始処理について説明する。
主制御用ＣＰＵ４０ａは、特別ゲームの実行条件が成立しているかを判定する（以下、実行判定という）。実行判定において、主制御用ＣＰＵ４０ａは、大当り遊技中ではなく、且つ特別ゲーム中ではない場合に肯定判定する一方で、大当り遊技中、又は特別ゲーム中である場合に否定判定する。実行判定の判定結果が否定の場合（特別ゲームの実行条件が成立していない場合）、主制御用ＣＰＵ４０ａは、特別図柄開始処理を終了する。
【０１０４】
一方、実行判定の判定結果が肯定の場合（特別ゲームの実行条件が成立している場合）、主制御用ＣＰＵ４０ａは、主制御用ＲＡＭ４０ｃに記憶されている第２特別保留数が１以上であるかを判定する。そして、第２特別保留数が１以上である場合、主制御用ＣＰＵ４０ａは、第１特別ゲームの実行に係る第１特別図柄開始処理を行った後、特別図柄開始処理を終了する。一方、第２特別保留数が１以上でない場合、主制御用ＣＰＵ４０ａは、主制御用ＲＡＭ４０ｃに記憶されている第１特別保留数が１以上であるか否かを判定する。第１特別保留数が１以上でない場合、主制御用ＣＰＵ４０ａは、特別図柄開始処理を終了する。一方、第１特別保留数が１以上である場合、主制御用ＣＰＵ４０ａは、第２特別ゲームの実行に係る第２特別図柄開始処理を行った後、特別図柄開始処理を終了する。
【０１０５】
第１特別図柄開始処理において主制御用ＣＰＵ４０ａは、主制御用ＲＡＭ４０ｃに記憶されている第１特別保留数を１減算して更新する。また、主制御用ＣＰＵ４０ａは、更新後の第１特別保留数が表示されるように、情報表示パネル２２を制御する。また、主制御用ＣＰＵ４０ａは、更新後の第１特別保留数を特定可能な第１保留数コマンドを出力バッファに格納する。
【０１０６】
続いて、主制御用ＣＰＵ４０ａは、第１特別ゲーム用の乱数情報のうち、最先に記憶された乱数情報を主制御用ＲＡＭ４０ｃから読み出す。なお、主制御用ＣＰＵ４０ａは、最先の乱数情報を読み出すと、最先に記憶された乱数情報を主制御用ＲＡＭ４０ｃから消去する。そして、主制御用ＣＰＵ４０ａは、読み出した乱数情報と、主制御用ＲＯＭ４０ｂに記憶されている大当り判定値とをもとに、大当りに当選とするかを判定する。この処理は、大当りか否かの大当り抽選（大当り判定）に相当する。例えば、大当りに当選とするか否かの判定は、乱数情報の値と大当り判定値とが一致するか否かにより判定してもよい。例えば、大当りに当選とするか否かの判定は、乱数情報の値と大当り判定値とを加算した値が、所定値を超えているか否かにより判定してもよい。
【０１０７】
大当りに当選とする場合、主制御用ＣＰＵ４０ａは、第１特別ゲームで導出させる大当り図柄と、第１特別ゲームの変動パターンと、を決定する。例えば、主制御用ＣＰＵ４０ａは、読み出した乱数情報を用いた抽選により、大当り図柄や変動パターンを決定するとよい。その後、主制御用ＣＰＵ４０ａは、決定した大当り図柄を特定可能な制御情報（以下、図柄コマンドと示す）及び変動パターンを特定可能な制御情報（以下、変動パターン指定コマンドと示す）を出力バッファに格納し、第１特別図柄開始処理を終了する。
【０１０８】
第２特別図柄開始処理において主制御用ＣＰＵ４０ａは、主制御用ＲＡＭ４０ｃに記憶されている第２特別保留数を１減算して更新する。また、主制御用ＣＰＵ４０ａは、更新後の第２特別保留数が表示されるように、情報表示パネル２２を制御する。また、主制御用ＣＰＵ４０ａは、更新後の第２特別保留数を特定可能な第２保留数コマンドを出力バッファに格納する。
【０１０９】
続いて、主制御用ＣＰＵ４０ａは、第２特別ゲーム用の乱数情報のうち、最先に記憶された乱数情報を主制御用ＲＡＭ４０ｃから読み出す。なお、主制御用ＣＰＵ４０ａは、最先の乱数情報を読み出すと、最先に記憶された乱数情報を主制御用ＲＡＭ４０ｃから消去する。そして、主制御用ＣＰＵ４０ａは、読み出した乱数情報と、主制御用ＲＯＭ４０ｂに記憶されている大当り判定値とをもとに、大当りに当選とするかを判定する。この処理は、大当りか否かの大当り抽選（大当り判定）に相当する。大当りに当選とする場合、主制御用ＣＰＵ４０ａは、第２特別ゲームで導出させる大当り図柄と、第２特別ゲームの変動パターンと、を決定する。例えば、主制御用ＣＰＵ４０ａは、読み出した乱数情報を用いた抽選により、大当り図柄や変動パターンを決定するとよい。その後、主制御用ＣＰＵ４０ａは、図柄コマンド及び変動パターン指定コマンドを出力バッファに格納し、第２特別図柄開始処理を終了する。
【０１１０】
そして、特別図柄開始処理を終了すると、主制御用ＣＰＵ４０ａは、特別図柄開始処理とは別の処理を行い、特別ゲームを実行させる。具体的に、主制御用ＣＰＵ４０ａは、特別ゲームが開始されるように、情報表示パネル２２を制御する。主制御用ＣＰＵ４０ａは、特別図柄開始処理において決定した変動パターンに対応付けられた変動時間を計時する。そして、主制御用ＣＰＵ４０ａは、変動パターンに対応付けられた変動時間が経過すると、特別図柄開始処理において決定した特別図柄が導出されるように、情報表示パネル２２を制御する。また、主制御用ＣＰＵ４０ａは、特別図柄開始処理において決定した変動パターンに対応付けられた変動時間が経過すると、演出図柄の変動停止を指示し、図柄組み合わせを導出させるためのゲーム終了コマンドを出力バッファに格納する。
【０１１１】
次に、主制御用ＣＰＵ４０ａが行う大当り処理について説明する。
大当り処理において、主制御用ＣＰＵ４０ａは、特別図柄開始処理で決定した大当り図柄（すなわち、大当りの種類）に基づいて、大当り遊技の種類を特定する。そして、主制御用ＣＰＵ４０ａは、大当りの特別ゲームの終了後、特定した大当り遊技を付与する制御を開始する。したがって、主制御用ＣＰＵ４０ａは、大当り処理を実行することにより、大当り遊技を付与する。このように、本実施形態のパチンコ遊技機１０では、大当りに当選した後に大当り遊技が付与される。
【０１１２】
主制御用ＣＰＵ４０ａは、大当りの特別ゲームが終了すると、オープニングコマンドを出力バッファに格納する。また、主制御用ＣＰＵ４０ａは、オープニングコマンドを出力バッファに格納すると、オープニング時間を計時する。また、主制御用ＣＰＵ４０ａは、オープニング時間が経過すると、ラウンド遊技を実行させるための処理を行う。すなわち、主制御用ＣＰＵ４０ａは、大当り遊技に設定された開放態様（開放パターン）にしたがって、大入賞口２９を開放するように、アクチュエータを制御し、ラウンド遊技を開始させる。主制御用ＣＰＵ４０ａは、ラウンド遊技を開始させた後、第１終了条件又は第２終了条件が成立すると、大入賞口２９が閉鎖されるようにアクチュエータを制御し、ラウンド遊技を終了させる。主制御用ＣＰＵ４０ａは、ラウンド遊技を実行させるための処理を、大当り遊技に定められた上限回数のラウンド遊技が終了するまで繰り返し行う。また、主制御用ＣＰＵ４０ａは、ラウンド遊技を開始する毎に、ラウンドコマンドを出力バッファに格納する。因みに、同一種類の大当り遊技中であっても、主制御用ＣＰＵ４０ａは、ラウンド遊技毎に異なるラウンドコマンドを出力バッファに格納する。例えば、１回目のラウンド遊技の開始に伴って出力されるラウンドコマンドは、２回目のラウンド遊技の開始に伴って出力されるラウンドコマンドと異なる。
【０１１３】
また、主制御用ＣＰＵ４０ａは、最終回のラウンド遊技が終了すると、エンディングコマンドを出力バッファに格納する。また、主制御用ＣＰＵ４０ａは、エンディングコマンドを出力バッファに格納すると、エンディング時間を計時する。そして、主制御用ＣＰＵ４０ａは、エンディング時間が経過すると、大当り遊技を終了する。
【０１１４】
次に、主制御用ＣＰＵ４０ａが行う遊技状態処理について説明する。
主制御用ＣＰＵ４０ａは、特別図柄開始処理で決定した大当り図柄（すなわち、大当りの種類）に基づいて、大当り遊技の終了後に付与する遊技状態を特定する。主制御用ＣＰＵ４０ａは、低確率状態の付与を特定した場合、大当り遊技を終了するときに、低確率状態に制御することを特定可能な値を、主制御用ＲＡＭ４０ｃに記憶されている確率状態フラグに設定する。主制御用ＣＰＵ４０ａは、高確率状態の付与を特定した場合、大当り遊技を終了するときに、高確率状態に制御することを特定可能な値を確率状態フラグに設定する。
【０１１５】
主制御用ＣＰＵ４０ａは、高ベース状態の付与を特定した場合、大当り遊技を終了するときに、高ベース状態に制御することを特定可能な値をベース状態フラグに設定する。また、主制御用ＣＰＵ４０ａは、高ベース状態であることを特定可能な制御情報（以下、「高ベース状態コマンド」と示す）を出力バッファに格納する。主制御用ＣＰＵ４０ａは、上限回数を定めた高ベース状態の付与を特定した場合、上記上限回数に相当する回数を、高ベース状態を付与する特別ゲームの残り回数として主制御用ＲＡＭ４０ｃに記憶させる。
【０１１６】
主制御用ＣＰＵ４０ａは、特別ゲームが実行される毎に、主制御用ＲＡＭ４０ｃに記憶されている残り回数を１減算する。主制御用ＣＰＵ４０ａは、残り回数が０となった場合、残り回数が０となった特別ゲームの終了に伴って、低ベース状態に制御することを特定可能な値をベース状態フラグに設定する。すなわち、主制御用ＣＰＵ４０ａは、高ベース状態を終了させ、低ベース状態へ移行させる。また、主制御用ＣＰＵ４０ａは、低ベース状態であることを特定可能な制御情報（以下、「低ベース状態コマンド」と示す）を出力バッファに格納する。
【０１１７】
因みに、主制御用ＣＰＵ４０ａは、大当り遊技が付与された場合、低確率状態に制御することを特定可能な値を確率状態フラグに設定するとともに、低ベース状態に制御することを特定可能な値をベース状態フラグに設定する。また、主制御用ＣＰＵ４０ａは、低ベース状態コマンドを出力バッファに格納する。
【０１１８】
次に、主制御用ＣＰＵ４０ａが行う普通図柄入力処理について説明する。
普通図柄入力処理において、主制御用ＣＰＵ４０ａは、ゲートセンサＳＥ４から検知信号を入力したかに基づいて、遊技球がゲート３１を通過（入球）したか否かを判定する。遊技球がゲート３１を通過していない場合、主制御用ＣＰＵ４０ａは、普通図柄入力処理を終了する。一方、遊技球がゲート３１を通過した場合、主制御用ＣＰＵ４０ａは、主制御用ＲＡＭ４０ｃに記憶されている普通保留数が上限数（本実施形態では、４）未満であるか否かを判定する。普通保留数が上限数未満ではない場合、主制御用ＣＰＵ４０ａは、普通図柄入力処理を終了する。普通保留数が上限数未満である場合、主制御用ＣＰＵ４０ａは、主制御用ＲＡＭ４０ｃに記憶されている普通保留数を１加算して更新する。この場合、主制御用ＣＰＵ４０ａは、更新後の普通保留数を表示するように、情報表示パネル２２を制御する。
【０１１９】
次に、主制御用ＣＰＵ４０ａは、主基板４０内で生成している乱数を取得し、取得した乱数に基づく乱数情報を主制御用ＲＡＭ４０ｃに記憶させる。この場合、主制御用ＣＰＵ４０ａは、普通ゲーム用の乱数情報であること、及び乱数情報の記憶順序が特定可能となるように記憶させる。その後、主制御用ＣＰＵ４０ａは、普通図柄入力処理を終了する。
【０１２０】
次に、主制御用ＣＰＵ４０ａが行う普通図柄開始処理について説明する。
普通図柄開始処理において、主制御用ＣＰＵ４０ａは、普通ゲームの実行条件が成立しているかを判定する。主制御用ＣＰＵ４０ａは、普通当り遊技中ではなく、且つ普通ゲーム中ではない場合に肯定判定する一方で、普通当り遊技中、又は普通ゲーム中である場合に否定判定する。普通ゲームの実行条件が成立していない場合、主制御用ＣＰＵ４０ａは、普通図柄開始処理を終了する。
【０１２１】
一方、普通ゲームの実行条件が成立している場合、主制御用ＣＰＵ４０ａは、主制御用ＲＡＭ４０ｃに記憶されている普通保留数が１以上であるか否かを判定する。普通保留数が１以上ではない場合、主制御用ＣＰＵ４０ａは、普通図柄開始処理を終了する。普通保留数が１以上である場合、主制御用ＣＰＵ４０ａは、主制御用ＲＡＭ４０ｃに記憶されている普通保留数を１減算して更新する。この処理において、主制御用ＣＰＵ４０ａは、更新後の普通保留数が表示されるように、情報表示パネル２２を制御する。次に、主制御用ＣＰＵ４０ａは、普通ゲーム用の乱数情報のうち、最先に記憶された乱数情報を主制御用ＲＡＭ４０ｃから読み出す。なお、主制御用ＣＰＵ４０ａは、最先の乱数情報を読み出すと、最先に記憶された乱数情報を主制御用ＲＡＭ４０ｃから消去する。
【０１２２】
次に、主制御用ＣＰＵ４０ａは、読み出した乱数情報と、主制御用ＲＯＭ４０ｂに記憶されている普通当り判定値とをもとに、普通当りに当選とするか否かを判定する。この処理は、普通当りか否かの普通当り抽選（普通当り判定）に相当する。例えば、上述した普通図柄の確率変動制御を採用する場合、主制御用ＣＰＵ４０ａは、高ベース状態においては、低ベース状態に比して、普通当りに当選する確率が高くなるように、普通当りに当選とするか否かの判定を行うとよい。
【０１２３】
普通当りに当選とする場合、主制御用ＣＰＵ４０ａは、普通ゲームで導出させる普通当り図柄と、普通ゲームの変動時間とを決定する。例えば、普通図柄の変動時間短縮制御を採用する場合、主制御用ＣＰＵ４０ａは、低ベース状態においては第１変動時間を決定し、高ベース状態においては第１変動時間よりも短い第２変動時間を決定するとよい。その後、主制御用ＣＰＵ４０ａは、普通図柄開始処理を終了する。
【０１２４】
そして、主制御用ＣＰＵ４０ａは、普通図柄開始処理とは別の処理を行うことによって、普通ゲームを実行させる。具体的に、主制御用ＣＰＵ４０ａは、普通ゲームを開始させるとともに、普通図柄開始処理において決定した変動時間が経過したときに、普通図柄開始処理において決定した普通図柄が導出されるように、情報表示パネル２２を制御する。
【０１２５】
次に、主制御用ＣＰＵ４０ａが行う普通当り処理について説明する。
普通当りに当選した場合、主制御用ＣＰＵ４０ａは、普通ゲームが終了すると、第２始動口２７の開放パターンを決定するとともに、該決定した開放パターンにしたがって第２始動口２７が開放されるように、アクチュエータを制御する。例えば、上述した開放時間延長制御を採用する場合、主制御用ＣＰＵ４０ａは、低ベース状態においては第１開放パターンを選択し、高ベース状態においては、第１開放パターンよりも１回の普通当り遊技における第１可変部材２８の合計開放時間が長い第２開放パターンを決定するとよい。
【０１２６】
本実施形態では、高ベース状態であるときには低ベース状態であるときよりも、普通当りに当選し易くなっている。そして、本実施形態のパチンコ遊技機１０では、低ベース状態であるときであっても普通当りに当選し得るように構成されており、普通当り抽選に当選した場合には第１可変部材２８が開状態となる。したがって、本実施形態のパチンコ遊技機１０において、低ベース状態であるときには、高ベース状態であるときに比して第２始動口２７へ遊技球が入球し難くものの、第２始動口２７へ遊技球が入球する可能性はある。
【０１２７】
しかし、低ベース状態であるときには、第２始動口２７へ遊技球が入球しないように構成してもよい。例えば、低ベース状態であるときには普通当りに当選しないように構成してもよいし、低ベース状態であるときには普通当りに当選した場合であっても第１可変部材２８が開状態とならないように構成してもよい。
【０１２８】
次に、副制御用ＣＰＵ５０ａが副制御用プログラムに基づいて行う各種の処理について説明する。
最初に、副制御用ＣＰＵ５０ａが行う状態処理について説明する。
【０１２９】
副制御用ＣＰＵ５０ａは、低ベース状態コマンドを入力すると、副制御用ＲＡＭ５０ｃに記憶されているベース状態フラグに、低ベース状態であることを特定可能な値を設定する。副制御用ＣＰＵ５０ａは、高ベース状態コマンドを入力すると、副制御用ＲＡＭ５０ｃに記憶されているベース状態フラグに、高ベース状態であることを特定可能な値を設定する。副制御用ＣＰＵ５０ａは、副制御用ＲＡＭ５０ｃに記憶されているベース状態フラグを参照することにより、現在の遊技状態が高ベース状態であるか、低ベース状態であるかを特定できる。
【０１３０】
副制御用ＣＰＵ５０ａは、オープニングコマンドを入力すると、副制御用ＲＡＭ５０ｃに記憶されている大当り状態フラグに、大当り遊技中であることを特定可能な値を設定する。副制御用ＣＰＵ５０ａは、エンディングコマンドを入力してから変動パターン指定コマンドを入力すると、副制御用ＲＡＭ５０ｃに記憶されている大当り状態フラグに、大当り遊技中ではないことを特定可能な値を設定する。副制御用ＣＰＵ５０ａは、副制御用ＲＡＭ５０ｃに記憶されている大当り状態フラグを参照することにより、大当り遊技中であるか否かを特定できる。
【０１３１】
次に、副制御用ＣＰＵ５０ａが行う大当り演出処理について説明する。
副制御用ＣＰＵ５０ａは、大当り遊技中、大当り演出が行われるように、装飾ランプ１７、スピーカ１８及び演出表示装置２５のうち少なくとも１つを制御する。具体的に、副制御用ＣＰＵ５０ａは、オープニングコマンドを入力すると、オープニング演出が行われるように、装飾ランプ１７、スピーカ１８及び演出表示装置２５のうち少なくとも１つを制御する。また、副制御用ＣＰＵ５０ａは、ラウンドコマンドを入力すると、ラウンド演出が行われるように、装飾ランプ１７、スピーカ１８及び演出表示装置２５のうち少なくとも１つを制御する。また、副制御用ＣＰＵ５０ａは、エンディングコマンドを入力すると、エンディング演出が行われるように、装飾ランプ１７、スピーカ１８及び演出表示装置２５のうち少なくとも１つを制御する。
【０１３２】
次に、副制御用ＣＰＵ５０ａが行う演出ゲーム処理について説明する。
副制御用ＣＰＵ５０ａは、一般演出としての演出ゲームや、該演出ゲームに付随する演出が行われるように、装飾ランプ１７、スピーカ１８及び演出表示装置２５のうち少なくとも１つを制御する。具体的に、副制御用ＣＰＵ５０ａは、図柄コマンド及び変動パターン指定コマンドを入力すると、演出ゲームを実行させる制御を行う。すなわち、副制御用ＣＰＵ５０ａは、変動パターン指定コマンド及び図柄コマンドに基づいて、演出ゲームにおいて導出させる図柄組み合わせを決定する。副制御用ＣＰＵ５０ａは、図柄コマンドから特定可能な図柄が大当り図柄である場合、演出図柄による大当りの図柄組み合わせを決定する。副制御用ＣＰＵ５０ａは、図柄コマンドから特定可能な図柄がはずれ図柄である場合、演出図柄によるはずれの図柄組み合わせを決定する。
【０１３３】
副制御用ＣＰＵ５０ａは、リーチ条件が成立していることにより、今回の演出ゲームにおいてリーチ演出を行う場合には、リーチを含むはずれの図柄組み合わせを決定するとよい。例えば、リーチ条件としては、はずれ変動パターンのなかでも、リーチ演出用の変動パターンが指定されたことを定めてもよく、副制御用ＣＰＵ５０ａが所定の乱数を用いた演出抽選を行い、該演出抽選に当選したことを定めてもよい。
【０１３４】
また、副制御用ＣＰＵ５０ａは、変動パターン指定コマンドを入力すると、演出図柄を変動表示させるように、演出表示装置２５を制御する。すなわち、副制御用ＣＰＵ５０ａは、演出ゲームを開始させる。このため、変動パターン指定コマンドは、変動パターンに基づく演出ゲームの開始を指示する制御情報ともいえる。また、副制御用ＣＰＵ５０ａは、変動パターン指定コマンドから特定可能な変動パターンに基づいて、所定の演出が実行されるように、装飾ランプ１７、スピーカ１８及び演出表示装置２５のうち少なくとも１つを制御する。例えば、所定の演出としては、大当り予告演出や、遊技状態を示唆する示唆演出などがある。
【０１３５】
そして、副制御用ＣＰＵ５０ａは、所定のタイミングが到来すると、決定した演出図柄による図柄組み合わせを一旦停止表示させるとともに、ゲーム終了コマンドの入力を契機に、演出図柄による図柄組み合わせを導出させる。なお、副制御用ＣＰＵ５０ａは、ゲーム終了コマンドとは関係なく、変動パターンから特定可能な変動時間を計時し、該変動時間の経過を契機に図柄組み合わせを導出させてもよい。この場合、ゲーム終了コマンドは省略してもよい。
【０１３６】
ここで、図５に基づき、磁気センサＺＳ１〜ＺＳ３と、磁気センサＺＳ１〜ＺＳ３と遊技盤入出力基板４２の接続の一例について説明する。なお、本実施形態のパチンコ遊技機１０が備える第１磁気センサＺＳ１、第２磁気センサＺＳ２及び第３磁気センサＺＳ３は同一である。図５では、磁気センサＺＳ１〜ＺＳ３のうち第１磁気センサＺＳ１を例に挙げて説明する。
【０１３７】
図５に示すように、第１磁気センサＺＳ１は、電源回路７１、磁気センサ主回路７２、抵抗器Ｒ１〜Ｒ５、トランジスタＴｒ、ダイオードＤ１〜Ｄ３を含んで構成されている。本実施形態において磁気センサ主回路７２には、磁気を検知する磁気検知部が含まれる。本実施形態においてトランジスタＴｒは、ＮＰＮ型のトランジスタである。また、第１磁気センサＺＳ１は、センサ内部電源Ｖｄ（例えば、ＤＣ３．３Ｖ）を備えている。また、第１磁気センサＺＳ１は、複数の端子を備えている。具体的に、第１磁気センサＺＳ１は、電源端子となる第１端子Ｐ１と、第１の入力端子となる第２端子Ｐ２と、第２の入力端子となる第３端子Ｐ３と、出力端子となる第４端子Ｐ４と、接地端子となる第５端子Ｐ５と、の計５つの端子を備えている。
【０１３８】
第１端子Ｐ１は、遊技盤入出力基板４２と接続されている。第１端子Ｐ１には、遊技盤入出力基板４２から所定の電源電圧Ｖｃｃ（例えば、１１．４Ｖ）が供給される。第１端子Ｐ１から供給された電源電圧Ｖｃｃは、抵抗器Ｒ１を介して第１磁気センサＺＳ１が備える電源回路７１へと供給される。例えば、電源回路７１では、第１端子Ｐ１から供給された電源電圧Ｖｃｃを所定の電源電圧（例えば、磁気センサ主回路７２を動作させるために必要な電源電圧）に変換する。そして、電源回路７１において変換された後の電源電圧は、磁気センサ主回路７２へと供給される。
【０１３９】
また、センサ内部電源Ｖｄは、抵抗器Ｒ２と接続されている。また、センサ内部電源Ｖｄは、抵抗器Ｒ３と接続されている。センサ内部電源Ｖｄは、分岐点Ｂ１から分岐して、抵抗器Ｒ２及び抵抗器Ｒ３とそれぞれ接続されている。抵抗器Ｒ２は、抵抗器Ｒ４と接続されている。また、抵抗器Ｒ２は、ダイオードＤ１のアノードと接続されている。抵抗器Ｒ２は、分岐点Ｂ２から分岐して、抵抗器Ｒ４及びダイオードＤ１のアノードと接続されている。ダイオードＤ１のカソードは、第３端子Ｐ３と接続されている。また、抵抗器Ｒ４は、磁気センサ主回路７２の第１接続部Ｋ１と接続されている。
【０１４０】
一方、抵抗器Ｒ３は、抵抗器Ｒ５と接続されている。また、抵抗器Ｒ３は、ダイオードＤ２のアノードと接続されている。抵抗器Ｒ３は、分岐点Ｂ３から分岐して、抵抗器Ｒ５及びダイオードＤ２のアノードと接続されている。ダイオードＤ２のカソードは、第２端子Ｐ２と接続されている。また、抵抗器Ｒ５は、磁気センサ主回路７２の第２接続部Ｋ２と接続されている。
【０１４１】
また、磁気センサ主回路７２の第３接続部Ｋ３は、ＮＰＮ型のトランジスタＴｒのベースと接続されている。本実施形態において、トランジスタＴｒが、出力トランジスタに相当する。また、トランジスタＴｒのエミッタは、ダイオードＤ３のアノードと接続されている。また、トランジスタＴｒのエミッタは、第５端子Ｐ５と接続されている。トランジスタＴｒのエミッタは、分岐点Ｂ４から分岐して、ダイオードＤ３のアノード及び第５端子Ｐ５と接続されている。また、トランジスタＴｒのコレクタは、ダイオードＤ３のカソードと接続されている。また、トランジスタＴｒのコレクタは、第４端子Ｐ４と接続されている。トランジスタＴｒのコレクタは、分岐点Ｂ５から分岐して、ダイオードＤ３のカソード及び第４端子Ｐ４と接続されている。本実施形態においてダイオードＤ３は、ツェナーダイオードである。
【０１４２】
本実施形態において第４端子Ｐ４から出力される制御信号が磁気検知信号となり、磁気検知手段としての磁気センサから出力される。このように、磁気センサにおいて、磁気検知信号の出力方式をオープンコレクタとしている。また、トランジスタＴｒのコレクタは、磁気検知信号の出力部となる。
【０１４３】
本実施形態において、磁気検知信号は、特定状態と、非特定状態と、を取り得る。このように、磁気検知信号の状態には、特定状態と、非特定状態と、がある。本実施形態において、特定状態は、磁気が検知されていることを特定できる状態であって、非特定状態は、磁気が検知されていないことを特定できる状態である。このように、本実施形態において、磁気検知信号の状態には、磁気が検知されていることを特定できる特定状態と、磁気が検知されていないことを特定できる非特定状態と、があることがわかる。また、本実施形態における磁気検知信号の状態は、原則、磁気が検知されている場合に特定状態となり、磁気が検知されていない場合に非特定状態となる。したがって、原則、磁気が検知されている状況から磁気が検知されていない状況へ切り替わった場合には、磁気検知信号の状態が特定状態から非特定状態へと切り替わる。
【０１４４】
本実施形態では、磁気センサが磁気を検知している場合であって特定条件が成立する場合、磁気検知信号の状態は「特定状態」となる。一方、本実施形態では、磁気センサが磁気を検知していない場合、及び、磁気センサが磁気を検知している場合であっても特定条件が成立しない場合、磁気検知信号の状態は「非特定状態」となる。ここでいう「特定条件」については、後ほど詳しく説明する。
【０１４５】
因みに、本実施形態において磁気検知信号の状態が特定状態であるとき、磁気検知信号の出力状態はローレベル（ＬＯＷ−Ｌｅｖｅｌ）となる。一方、本実施形態において磁気検知信号の状態が非特定状態であるとき、磁気検知信号の出力状態はハイレベル（ＨＩＧＨ−Ｌｅｖｅｌ）となる。磁気検知信号の出力状態がローレベルであるとき（磁気検知信号の状態が特定状態であるとき）と、磁気検知信号の出力状態がハイレベルであるとき（磁気検知信号の状態が非特定状態であるとき）では、磁気検知信号の電圧値が異なる。本実施形態において、磁気検知信号の出力状態がローレベルであるときの当該磁気検知信号の電圧値は、磁気検知信号の出力状態がハイレベルであるときの当該磁気検知信号の電圧値よりも低い。例えば、磁気検知信号の出力状態がローレベルであるときの当該磁気検知信号の電圧値は、０Ｖであってもよいし、０Ｖよりも高い値であってもよい。
【０１４６】
第２端子Ｐ２は、遊技盤入出力基板４２と接続されている。第２端子Ｐ２には、遊技盤入出力基板４２から扉開放信号の状態が入力される。このように、本実施形態において、磁気検知手段に相当する磁気センサには、開放検知信号に相当する扉開放信号の状態が入力される。また、磁気センサでは、扉開放信号の状態（扉開放信号の電圧値）によって、磁気センサ主回路７２の第２接続部Ｋ２へと流入する電流Ｉ１の値が変化する。つまり、扉開放信号が第１状態であるときに磁気センサ主回路７２の第２接続部Ｋ２へ流入する電流Ｉ１の値は、扉開放信号が第２状態であるときに磁気センサ主回路７２の第２接続部Ｋ２へ流入する電流Ｉ１の値と異なる。このため、磁気センサ主回路７２は、第２接続部Ｋ２から注入する電流Ｉ１の値（強さや大きさ）に応じて動作することで、扉開放信号の状態に応じて動作することになる。すなわち、磁気センサ主回路７２が第２接続部Ｋ２へ流入する電流Ｉ１の値に応じて動作することは、扉開放信号の状態に応じて動作することに相当する。
【０１４７】
第３端子Ｐ３は、遊技盤入出力基板４２と接続されている。第１磁気センサＺＳ１の第３端子Ｐ３は、遊技盤入出力基板４２に設けられた抵抗器Ｒｄ１と接続されている。因みに、第２磁気センサＺＳ２の第３端子Ｐ３は、遊技盤入出力基板４２に設けられた抵抗器Ｒｄ２と接続されている。また、第３磁気センサＺＳ３の第３端子Ｐ３は、遊技盤入出力基板４２に設けられた抵抗器Ｒｄ３と接続されている。抵抗器Ｒｄ１〜Ｒｄ３は、可変抵抗器であって、外部操作によって抵抗値を切り替えることが可能となっている。また、遊技盤入出力基板４２において、抵抗器Ｒｄ１〜Ｒｄ３は、接地されている。
【０１４８】
本実施形態において抵抗器Ｒｄ１の抵抗値は、抵抗値Ｒａ１、抵抗値Ｒａ２、抵抗値Ｒａ３及び抵抗値Ｒａ４の中で切替可能に構成されている。因みに、抵抗値の関係は、「抵抗値Ｒａ１＜抵抗値Ｒａ２＜抵抗値Ｒａ３＜抵抗値Ｒａ４」となっており、抵抗値Ｒａ１〜Ｒａ４のうち抵抗値Ｒａ１が最も低い。
【０１４９】
本実施形態では、抵抗器Ｒｄ１の抵抗値を切り替えることによって、第１磁気センサＺＳ１にかかる電圧を切り替えることができ、第１磁気センサＺＳ１による磁気の検知範囲を切り替えることが可能に構成されている。同様に、抵抗器Ｒｄ２の抵抗値を切り替えることによって、第２磁気センサＺＳ２にかかる電圧を切り替えることができ、第２磁気センサＺＳ２による磁気の検知範囲を切り替えることが可能に構成されている。また、抵抗器Ｒｄ３の抵抗値を切り替えることによって、第３磁気センサＺＳ３にかかる電圧を切り替えることができ、第３磁気センサＺＳ３による磁気の検知範囲を切り替えることが可能に構成されている。本実施形態において、抵抗器Ｒｄ１は第１磁気センサＺＳ１、抵抗器Ｒｄ２は第２磁気センサＺＳ２、抵抗器Ｒｄ３は第３磁気センサＺＳ３にそれぞれ対応している。
【０１５０】
このように、本実施形態のパチンコ遊技機１０は、磁気検知手段としての磁気センサによる磁気の検知範囲を切り替え可能に構成されている。また、本実施形態における抵抗器Ｒｄ１〜Ｒｄ３が所定の抵抗器に相当する。本実施形態のパチンコ遊技機１０では、所定の抵抗器の抵抗値を切り替える場合、抵抗値を切り替えた抵抗器に対応する磁気センサにかかる電圧を切り替えることで当該磁気センサによる磁気の検知範囲を切り替えることが可能に構成されている。
【０１５１】
本実施形態では、抵抗器Ｒｄ１の抵抗値が切り替わることによって、磁気センサ主回路７２の第１接続部Ｋ１へと流入する電流Ｉ２の値が変化する。磁気センサ主回路７２では、第１接続部Ｋ１から流入する電流Ｉ２に応じた検知範囲で磁気が検知される。なお、磁気の検知範囲とは、磁気の感度ともいえる。
【０１５２】
図６（ａ）に示すように、第１磁気センサＺＳ１は、略直方体形状の一面には、第１端子Ｐ１、第２端子Ｐ２、第３端子Ｐ３及び第５端子Ｐ５を含むコネクタ部ＣＡが設けられている。また、図６（ｂ）に示すように、第１磁気センサＺＳ１において、コネクタ部ＣＡが設けられた面の裏面には、磁気の検知範囲の中心点Ｊを特定可能な情報ＨＫ（検知抽選表示）が表記されている。磁気の検知範囲の中心点Ｊを中心として、磁気の検知範囲が定められる。
【０１５３】
そして、図６（ｃ）に示すように、第１磁気センサＺＳ１の中心点Ｊを中心とする磁気の検知範囲は抵抗器Ｒｄ１の抵抗値によって異なる。そして、図６（ｃ）では、ＸＹ平面において第１磁気センサＺＳ１の中心点Ｊを中心とする磁気の検知範囲Ｈ１〜Ｈ４の一例を示す。具体的に、抵抗器Ｒｄ１が抵抗値Ｒａ１であるとき、磁気の検知範囲は検知範囲Ｈ１となる。また、抵抗器Ｒｄ１が抵抗値Ｒａ２であるとき、磁気の検知範囲は検知範囲Ｈ２となる。同様に、抵抗器Ｒｄ１が抵抗値Ｒａ３であるとき、磁気の検知範囲は検知範囲Ｈ３となる。また、抵抗器Ｒｄ１が抵抗値Ｒａ４であるとき、磁気の検知範囲は検知範囲Ｈ４となる。
【０１５４】
そして、図６（ｄ）に示すように、例えば、抵抗器Ｒｄ１が抵抗値Ｒａ２であるときには、第１磁気センサＺＳ１の中心点Ｊを中心として上下左右に広がる範囲が検知範囲Ｈ２となる。
【０１５５】
図５に示すように、第４端子Ｐ４は、遊技盤入出力基板４２と接続されている。第４端子Ｐ４からは、磁気検知信号の状態が出力される。磁気が検知されているときであって特定条件が成立している場合、トランジスタＴｒのベースへと磁気センサ主回路７２の第３接続部Ｋ３から電流が流れ、トランジスタがオン状態となる。一方、磁気が検知されていない場合、及び、磁気が検知されているときであって特定条件が成立していない場合、トランジスタＴｒのベースへと磁気センサ主回路７２の第３接続部Ｋ３から電流は流れず、トランジスタＴｒはオフ状態となる。このように、第１磁気センサＺＳ１において、磁気を検知しているときであって特定条件が成立している場合にトランジスタＴｒのベースに電流が流れる一方、磁気を検知していない場合及び磁気を検知しているときであって特定条件が成立していない場合にトランジスタＴｒに電流が流れない。
【０１５６】
そして、本実施形態において、トランジスタＴｒがオン状態となる場合、第４端子Ｐ４から出力される磁気検知信号の状態は特定状態となる。一方、本実施形態において、トランジスタＴｒがオフ状態となる場合、第４端子Ｐ４から出力される磁気検知信号の状態は非特定状態となる。
【０１５７】
本実施形態では、原則として、磁気が検知された場合には第３接続部Ｋ３から電流が流れる一方、磁気が検知されていない場合には第３接続部Ｋ３から電流が流れないようになっており、第１磁気センサＺＳ１〜第３磁気センサＺＳ３は、ノーマリーオープン（Ｎ／Ｏ）タイプのセンサとなっている。
【０１５８】
第５端子Ｐ５は、遊技盤入出力基板４２と接続されており、接地されている。したがって、第５端子Ｐ５と接続されているトランジスタＴｒのエミッタは、接地されている。このように、出力トランジスタに相当するトランジスタＴｒのエミッタは接地されている。
【０１５９】
以下に、本実施形態における磁気センサＺＳ１〜ＺＳ３の特性について、前述した特定条件とともに、説明する。ここでは、磁気センサＺＳ１〜ＺＳ３のうち第１磁気センサＺＳ１を例に挙げて説明する。
【０１６０】
第１磁気センサＺＳ１では、初期動作が行われる。第１磁気センサＺＳ１は、パチンコ遊技機１０の電源が投入された後（電力供給が開始された後）、初期動作を行う。初期動作は、イニシャル動作や、初期設定（又は、初期設定動作）ともいわれる。初期動作は、電源が投入されてから電源が遮断されるまで（電力供給が開始されてから電力供給が終了するまで）の期間内において、１回行われる。
【０１６１】
初期動作では、当該初期動作において検知している磁界を基準とする動作が行われる。そして、初期動作にて基準とされた磁界からの増減値が閾値を超えた場合、第１磁気センサＺＳ１は磁気を検知することになる。したがって、第１磁気センサＺＳ１に磁石を近づけた状態で初期動作が行われてしまう場合には、第１磁気センサＺＳ１に磁石を近づけた状態の磁界が基準となってしまう。
【０１６２】
第１磁気センサＺＳ１では、パチンコ遊技機１０の電源が投入された後、少なくとも第２端子Ｐ２から入力される扉開放信号の状態が第１状態である場合に初期動作が行われない。一方、第１磁気センサＺＳ１では、パチンコ遊技機１０の電源が投入された後、少なくとも第２端子Ｐ２から入力される扉開放信号の状態が第２状態である場合に初期動作が行われる。このように、本実施形態では、少なくとも第１磁気センサＺＳ１に入力される扉開放信号の状態が第１状態である場合に初期動作が行われず、少なくとも第１磁気センサＺＳ１に入力される扉開放信号の状態が第２状態である場合に初期動作が行われる。
【０１６３】
例えば、中枠１３及び前枠１４の何れもが閉鎖されているときにパチンコ遊技機１０の電源が投入された場合、第１磁気センサＺＳ１に入力される扉開放信号の状態が第２状態であることから、初期動作が行われる。一方、中枠１３及び前枠１４のうち少なくとも一方が開放されているときにパチンコ遊技機１０の電源が投入された場合、第１磁気センサＺＳ１に入力される扉開放信号の状態が第１状態であるときには初期動作が行われない。その後、中枠１３及び前枠１４の何れもが閉鎖された場合には、第１磁気センサＺＳ１に入力される扉開放信号の状態が第２状態となることから、第１磁気センサＺＳ１にて初期動作が行われる。このように、本実施形態における第１磁気センサＺＳ１では、中枠１３及び前枠１４のうち少なくとも一方が開放されているときに電力供給が開始された場合に、当該電力供給が開始されてから１回目の中枠１３及び前枠１４の閉鎖後に初期動作が行われる。
【０１６４】
また、本実施形態では、第１磁気センサＺＳ１が磁気を検知した場合であっても所定条件が成立するときには、磁気検知信号の状態は特定状態とならず、非特定状態となる。すなわち、本実施形態では、第１磁気センサＺＳ１が磁気を検知した場合であっても所定条件が成立するときには、磁気検知状態の出力状態がローレベルとならずにハイレベルとなる。一方、本実施形態では、第１磁気センサＺＳ１が磁気を検知した場合であって所定条件が成立しないときには、磁気検知信号の状態は特定状態となる。すなわち、本実施形態では、第１磁気センサＺＳ１が磁気を検知した場合であって所定条件が成立しないときには、磁気検知信号の出力状態がローレベルとなる。
【０１６５】
本実施形態において所定条件は、磁気センサが初期動作を行っているときに成立する。このように、本実施形態における所定条件には、磁気センサが初期動作を行っているときに成立する所定条件（初期動作が行われていることで成立する所定条件）がある。
【０１６６】
このため、第１磁気センサＺＳ１が磁気を検知した場合であっても、第１磁気センサＺＳ１が初期動作を行っているときには、磁気検知信号の状態は特定状態とならず、非特定状態となる。すなわち、第１磁気センサＺＳ１が磁気を検知した場合であっても、第１磁気センサＺＳ１が初期動作を行っているときには、磁気検知信号の出力状態はローレベルとならずにハイレベルとなる。
【０１６７】
このように、初期動作が開始されてから当該初期動作が終了するまでの期間（初期動作が行われているとき）は、磁気検知手段としての磁気センサが磁気を検知した場合であっても磁気検知信号の状態が特定状態とならずに非特定状態となる期間（第１の期間）に相当する。また、前述したように、中枠１３及び前枠１４のうち少なくとも一方が開放されているときにパチンコ遊技機１０の電源が投入された場合（電力供給が開始された場合）には、１回目の中枠１３及び前枠１４の閉鎖後に初期動作が行われる。したがって、磁気検知手段としての磁気センサが磁気を検知した場合であっても磁気検知信号の状態が特定状態とならずに非特定状態となる期間（第１の期間）には、中枠１３及び前枠１４のうち少なくとも一方が開放されているときに電源が投入されてから１回目の中枠１３及び前枠１４の閉鎖から初期動作が終了するまでの期間がある。
【０１６８】
また、本実施形態において所定条件は、中枠１３及び前枠１４のうち少なくとも一方が開放されているときに成立する。このように、本実施形態における所定条件には、中枠１３及び前枠１４のうち少なくとも一方が開放されているときに成立する所定条件（磁気センサに入力される扉開放信号の状態が第１状態であることで成立する所定条件）がある。本実施形態では、中枠１３及び前枠１４のうち少なくとも一方が開放されているときに成立する所定条件が、特定の所定条件に相当する。
【０１６９】
このため、第１磁気センサＺＳ１が磁気を検知した場合であっても、中枠１３及び前枠１４のうち少なくとも一方が開放されているときには、磁気検知信号の状態は特定状態とならず、非特定状態となる。すなわち、第１磁気センサＺＳ１が磁気を検知した場合であっても、中枠１３及び前枠１４のうち少なくとも一方が開放されているときには、磁気検知信号の出力状態はローレベルとならずにハイレベルとなる。
【０１７０】
なお、中枠１３及び前枠１４のうち少なくとも一方が開放されているときとは、第２端子Ｐ２に入力される扉開放信号の状態が第１状態であること（扉開放信号の出力状態はローレベルであること）に相当する。また、中枠１３及び前枠１４のうち少なくとも一方が開放されているときとは、磁気センサ主回路７２の第２接続部Ｋ２へ流入する電流Ｉ１の値が、扉開放信号の状態が第１状態であるときに第２接続部Ｋ２へ流入する電流Ｉ１の値であるときともいえる。
【０１７１】
このように、中枠１３及び前枠１４のうち少なくとも一方が開放されている期間は、磁気検知手段としての磁気センサが磁気を検知した場合であっても磁気検知信号の状態が特定状態とならずに非特定状態となる期間（第３の期間）に相当する。すなわち、第２端子Ｐ２に入力される扉開放信号の状態が第１状態である期間は、磁気センサが磁気を検知した場合であっても磁気検知信号の状態が特定状態とならずに非特定状態となる期間（第３の期間）に相当する。したがって、本実施形態では、磁気センサに入力される扉開放信号の状態が第１状態であるとき、磁気検知信号の状態が特定状態とならず、非特定状態となる。
【０１７２】
また、本実施形態において所定条件は、中枠１３及び前枠１４が閉鎖されているときであっても、初期動作を既に行っている場合、中枠１３及び前枠１４が閉鎖された後に所定時間が経過するまでの期間内（例えば、１秒が経過するまでの期間内）であるときに成立する。このように、本実施形態における所定条件には、中枠１３及び前枠１４が閉鎖されているときであっても、初期動作を既に行っている場合、中枠１３及び前枠１４が閉鎖された後に所定時間が経過するまでの期間内であるときに成立する所定条件がある。中枠１３及び前枠１４が閉鎖されているときであっても、初期動作を既に行っている場合、中枠１３及び前枠１４が閉鎖された後に所定時間が経過するまでの期間内であるときに成立する所定条件は、扉開放信号の状態が第１状態から第２状態へ切り替わった後に所定時間が経過していないことで成立する所定条件ともいえる。
【０１７３】
このため、第１磁気センサＺＳ１が磁気を検知した場合であっても、初期動作を既に行っている場合、中枠１３及び前枠１４が閉鎖された後の所定期間内では、磁気検知信号の状態は特定状態とならず、非特定状態となる。すなわち、第１磁気センサＺＳ１が磁気を検知した場合であっても、初期動作を既に行っている場合、中枠１３及び前枠１４が閉鎖された後の所定期間内では、磁気検知信号の出力状態はローレベルとならずにハイレベルとなる。このように、扉開放信号の状態が第１状態から第２状態へ切り替わった後、つまり、特定の所定条件が成立する状態から当該特定の所定条件が成立しない状態へと切り替わった後、所定時間が経過するまでの期間内では、第１磁気センサＺＳ１が磁気を検知した場合であっても磁気検知信号の状態が特定状態とならず、非特定状態となる場合がある。すなわち、特定の所定条件が成立する状態から当該特定の所定条件が成立しない状態へと切り替わった後、所定時間が経過するまでの期間内では、第１磁気センサＺＳ１が磁気を検知した場合であっても磁気検知信号の出力状態がローレベルとならずにハイレベルとなる場合がある。
【０１７４】
なお、中枠１３及び前枠１４が閉鎖された後に所定時間が経過するまでの期間内とは、第２端子Ｐ２に入力される扉開放信号の状態が第１状態から第２状態に切り替わった後に所定時間が経過するまでの期間内（扉開放信号の出力状態がローレベルからハイレベルに切り替わった後に所定時間が経過するまでの期間内）ともいえる。中枠１３及び前枠１４が閉鎖された後に所定時間が経過するまでの期間内とは、電流Ｉ１の値が、扉開放信号の状態が第１状態であるときに第２接続部Ｋ２へ流入する電流Ｉ１の値から扉開放信号の状態が第２状態であるときに第２接続部Ｋ２へ流入する電流Ｉ１の値に切り替わった後に所定時間が経過するまでの期間内ともいえる。
【０１７５】
因みに、本実施形態において初期動作に要する時間（初期動作を開始してから当該初期動作を終了するまでの時間）は、所定時間よりも長い時間となっている。このため、初期動作が行われているときに磁気センサが磁気を検知した場合であっても磁気検知信号の状態が特定状態とならずに非特定状態となる期間は、中枠１３及び前枠１４が閉鎖された後に所定時間が経過するまで磁気センサが磁気を検知した場合であっても磁気検知信号の状態が特定状態とならずに非特定状態となる期間よりも長い。
【０１７６】
このように、中枠１３及び前枠１４が閉鎖されているときであっても、初期動作を既に行っている場合、中枠１３及び前枠１４が閉鎖された後に所定時間が経過するまでの期間内は、磁気検知手段としての磁気センサが磁気を検知した場合であっても磁気検知信号の状態が特定状態とならずに非特定状態となる期間（第２の期間）に相当する。
【０１７７】
本実施形態では、前述したように、中枠１３及び前枠１４のうち少なくとも一方が開放されているときにパチンコ遊技機１０の電源が投入された場合（電力供給が開始された場合）には、１回目の中枠１３及び前枠１４の閉鎖後に初期動作が行われる。したがって、中枠１３及び前枠１４のうち少なくとも一方が開放されているときにパチンコ遊技機１０の電源が投入された場合には、２回目以降の中枠１３及び前枠１４の閉鎖後に所定時間が経過するまでの期間が、磁気センサが磁気を検知した場合であっても磁気検知信号の状態が特定状態とならずに非特定状態となる期間（第２の期間）となる。すなわち、中枠１３及び前枠１４のうち少なくとも一方が開放されているときにパチンコ遊技機１０の電源が投入された場合、１回目の中枠１３及び前枠１４の閉鎖後は、初期動作が行われている期間（第１の期間）が「磁気センサが磁気を検知した場合であっても磁気検知信号の状態が特定状態とならずに非特定状態となる期間」となる。一方、中枠１３及び前枠１４のうち少なくとも一方が開放されているときにパチンコ遊技機１０の電源が投入された場合、２回目以降の中枠１３及び前枠１４の閉鎖後は、所定時間が経過するまでの期間（第２の期間）が「磁気センサが磁気を検知した場合であっても磁気検知信号の状態が特定状態とならずに非特定状態となる期間」となる。
【０１７８】
磁気センサが磁気を検知した場合であっても磁気検知信号の状態が特定状態とならずに非特定状態となる期間には、初期動作が行われている期間（第１の期間）と、中枠１３及び前枠１４が閉鎖された後に所定時間が経過するまでの期間（第２の期間）と、中枠１３及び前枠１４のうち少なくとも一方が開放されている期間（第３の期間）と、がある。すなわち、磁気センサが磁気を検知した場合であっても磁気検知信号の出力状態がローレベルとならずにハイレベルとなる期間には、第１の期間と、第２の期間と、第３の期間と、がある。そして、第１の期間は、第２の期間に比して長い。また、本実施形態において、第１の期間及び第２の期間は一定の期間となる一方、第３の期間は不定の期間となる。
【０１７９】
パチンコ遊技機１０において、中枠１３及び前枠１４のうち少なくとも一方が開放されているときには第１磁気センサＺＳ１が磁気を検知した場合であっても磁気検知信号の状態は特定状態とはならない。また、パチンコ遊技機１０において、中枠１３及び前枠１４が閉鎖された後も、初期動作が行われている期間や所定時間が経過するまでの期間では、第１磁気センサＺＳ１が磁気を検知した場合であっても磁気検知信号の状態は特定状態とはならない。本実施形態において、初期動作が行われている期間や所定時間が経過するまでの期間が、所定期間に相当する。そして、パチンコ遊技機１０では、第１磁気センサＺＳ１に入力される扉開放信号の状態が第１状態から第２状態となった後の所定期間内においては、磁気検知信号の状態が特定状態とならず、非特定状態となる。すなわち、パチンコ遊技機１０では、第１磁気センサＺＳ１に入力される扉開放信号の出力状態がローレベルからハイレベルに切り替わった後の所定期間内においては、磁気検知信号の出力状態がローレベルとならず、ハイレベルとなる。
【０１８０】
以上のように構成されているため、たとえ、第１磁気センサＺＳ１に入力される扉開放信号の状態が第１状態から第２状態となるまでに亘って第１磁気センサＺＳ１が磁気を検知した場合であっても、少なくとも扉開放信号の状態が第１状態から第２状態となった後の所定期間内においては、磁気検知信号の状態が特定状態とならず、非特定状態となる。
【０１８１】
また、本実施形態では、扉開放信号の状態が第１状態であるときに磁気を検知したかによって中枠１３及び前枠１４が閉鎖された後に、磁気を検知した場合であっても磁気検知信号の状態が特定状態とならずに非特定状態となる期間（所定期間）の長さは変わらない。したがって、扉開放信号の状態が第１状態であるときに第１磁気センサＺＳ１が磁気を検知した場合と、扉開放信号の状態が第１状態であるときに第１磁気センサＺＳ１が磁気を検知していない場合と、では、扉開放信号の状態が第１状態から第２状態となった後に磁気検知信号の状態が特定状態とならずに非特定状態となる期間の長さが同一となる。
【０１８２】
また、本実施形態では、中枠１３及び前枠１４が閉鎖されるよりも前に磁気センサが磁気を検知したか否かに関係なく、磁気を検知した場合であっても磁気検知信号の状態が特定状態とならずに非特定状態となる期間（所定期間）の長さは変わらない。したがって、中枠１３及び前枠１４のうち何れか一方が開放されているときに第１磁気センサＺＳ１が磁気を検知した場合と、中枠１３及び前枠１４のうち何れか一方が開放されているときに第１磁気センサＺＳ１が磁気を検知しない場合と、では、磁気検知信号の状態が特定状態とならずに非特定状態となる期間の長さを同一となる。
【０１８３】
以上のように、本実施形態では、第１磁気センサＺＳ１が磁気を検知した場合であっても磁気検知信号の状態が特定状態とならずに非特定状態となる期間が設けられている。
また、本実施形態では、第１磁気センサＺＳ１による磁気の検知範囲を切り替えることが可能に構成されているが、第１磁気センサＺＳ１による磁気の検知範囲によって、第１磁気センサＺＳ１が磁気を検知した場合であっても磁気検知信号の状態が特定状態とならずに非特定状態となる期間の長さは変化しない。したがって、磁気の検知範囲を切り替えたとしても、当該磁気の検知範囲を切り替えたことによって、第１磁気センサＺＳ１が磁気を検知した場合であっても磁気検知信号の状態が特定状態とならずに非特定状態となる期間の長さは変化しない。このため、本実施形態では、第１磁気センサＺＳ１が磁気を検知した場合であっても磁気検知信号の状態が特定状態とならずに非特定状態となる期間の長さが変化することを考慮して、磁気の検知範囲を切り替える必要はない。
【０１８４】
また、本実施形態では、第１磁気センサＺＳ１による磁気の検知範囲を切り替えることが可能に構成されているが、第１磁気センサＺＳ１による磁気の検知範囲によって、第１磁気センサＺＳ１が磁気を検知した場合であっても磁気検知信号の状態が特定状態とならずに非特定状態となる期間の有無は変化しない。したがって、磁気の検知範囲を切り替えたとしても、当該磁気の検知範囲を切り替えたことによって、第１磁気センサＺＳ１が磁気を検知した場合であっても磁気検知信号の状態が特定状態とならずに非特定状態となる期間の有無は変化しない。このため、本実施形態では、例えば、第１磁気センサＺＳ１が磁気を検知した場合であっても磁気検知信号の状態が特定状態とならずに非特定状態となる期間の有無の変化を考慮して、磁気の検知範囲を切り替える必要はない。
【０１８５】
ここで、本実施形態における「特定条件」について説明する。
本実施形態において特定条件は、初期動作を行っているときでなく、扉開放信号の状態が第１状態でなく、且つ、扉開放信号の状態が第１状態から第２状態へ切り替わってから所定時間が経過するまでの期間でない場合に成立する。したがって、本実施形態では、所定条件が成立していないときが、特定条件が成立するときに相当する。
【０１８６】
そして、特定条件が成立しているとき、第１磁気センサＺＳ１が磁気を検知した場合、第１磁気センサＺＳ１の磁気センサ主回路７２の第３接続部Ｋ３からトランジスタＴｒのベースへ電流が流れる。これにより、トランジスタＴｒは、オン状態となる。そして、第１磁気センサＺＳ１の第４端子Ｐ４からの磁気検知信号の状態は特定状態となる。すなわち、第１磁気センサＺＳ１の第４端子Ｐ４からの磁気検知信号の出力状態はローレベルとなる。
【０１８７】
一方、特定条件が成立しているとき、第１磁気センサＺＳ１が磁気を検知しない場合、第１磁気センサＺＳ１の磁気センサ主回路７２の第３接続部Ｋ３からトランジスタＴｒのベースへ電流が流れない。これにより、トランジスタＴｒは、オフ状態となる。そして、第１磁気センサＺＳ１の第４端子Ｐ４からの磁気検知信号の状態は非特定状態となる。すなわち、第１磁気センサＺＳ１の第４端子Ｐ４からの磁気検知信号の出力状態はハイレベルとなる。
【０１８８】
因みに、特定条件が成立していないとき、つまり、所定条件が成立しているときには、第１磁気センサＺＳ１が磁気を検知した場合と磁気を検知しない場合の何れにおいても、第１磁気センサＺＳ１の磁気センサ主回路７２の第３接続部Ｋ３からトランジスタＴｒのベースへ電流は流れず、トランジスタＴｒはオフ状態となる。このため、第１磁気センサＺＳ１の第４端子Ｐ４からの磁気検知信号の状態は非特定状態となる。すなわち、第１磁気センサＺＳ１の第４端子Ｐ４からの磁気検知信号の出力状態はハイレベルとなる。
【０１８９】
本実施形態のパチンコ遊技機１０では、前述したように、磁気検知信号の状態は、遊技盤入出力基板４２に入力された後、遊技盤入出力基板４２と接続されている主基板４０へと入力される。そして、主基板４０の主制御用ＣＰＵ４０ａは、磁気検知信号の状態（磁気検知信号の出力状態）に応じて各種の処理を行う。
【０１９０】
主制御用ＣＰＵ４０ａが磁気検知信号の状態に応じて行う処理（以下、磁気検知処理という）がある。
磁気検知処理において主制御用ＣＰＵ４０ａは、入力される磁気検知信号の状態が特定状態である場合（つまり、磁気検知信号の出力状態がローレベルである場合）、所定の制御情報（以下、磁気検知制御情報という）を出力バッファに格納する。磁気検知制御情報は、磁気検知信号の状態が特定状態であるときに出力される制御情報であることから、磁気が検知されたことを特定可能な制御情報ともいえる。
【０１９１】
なお、副基板５０の副制御用ＣＰＵ５０ａは、磁気検知制御情報を入力した場合、磁気が検知されたことを報知する磁気検知報知演出が行われるように、装飾ランプ１７、スピーカ１８及び演出表示装置２５のうち少なくとも１つを制御する。本実施形態において副制御用ＣＰＵ５０ａは、所定の発光態様で装飾ランプ１７が発光されるように制御し、警告音がスピーカ１８から出力されるように制御するとともに、磁気が検知されたことを特定可能な画像が演出表示装置２５に表示されるように制御する。本実施形態における磁気検知報知演出では、磁気が検知されたことを特定可能な情報が報知される。
【０１９２】
なお、副制御用ＣＰＵ５０ａは、演出表示装置２５において演出ゲームを実行させている場合、当該演出ゲームの実行を中止して、磁気検知報知演出が行われるように、装飾ランプ１７、スピーカ１８及び演出表示装置２５のうち少なくとも１つを制御するように構成してもよい。また、本実施形態では、装飾ランプ１７、スピーカ１８及び演出表示装置２５を用いて磁気報知演出が行われるように構成したが、装飾ランプ１７、スピーカ１８及び演出表示装置２５のうち一部を用いて磁気報知演出が行われるように構成してもよい。また、本実施形態では、磁気検知制御情報が副制御用ＣＰＵ５０ａに入力されることによって磁気報知演出が行われることから、磁気検知制御情報は、磁気報知演出を行うこと（磁気が検知されたことを特定可能な情報を報知すること）を指示する制御情報ともいえる。
【０１９３】
また、磁気検知処理において主制御用ＣＰＵ４０ａは、入力される磁気検知信号の状態が特定状態である場合（つまり、磁気検知信号の出力状態がローレベルである場合）、特定の外部信号の出力を制御する。このように、主制御用ＣＰＵ４０ａは、磁気検知信号の状態が特定状態であることを条件として、特定の外部信号を出力させる。特定の外部信号は、外部端子板４６の接続端子のうち特定の接続端子と外部装置が接続されているときに、当該特定の接続端子から出力される外部信号に相当する。
【０１９４】
主制御用ＣＰＵ４０ａが特定の外部信号の出力を制御することにより、特定の接続端子と外部装置が接続されているとき、当該外部装置へと特定の外部信号が出力される。特定の外部信号は、磁気検知信号の状態が特定状態であるときに出力される外部信号であることから、磁気が検知されたことを特定可能な外部信号ともいえる。以上のように、本実施形態において、制御手段としての機能を実現する主制御用ＣＰＵ４０ａは、接続端子から出力させる外部信号の出力を制御可能である。そして、本実施形態において、制御手段としての機能を実現する主制御用ＣＰＵ４０ａは、磁気が検知されたことをできる場合に特定の外部信号の出力を制御する。
【０１９５】
また、本実施形態では、中枠１３及び前枠１４のうち少なくとも一方が開放されているときには、磁気センサが磁気を検知した場合であっても、磁気検知信号の状態は特定状態とならない。このため、接続端子と外部装置が接続されているときであっても、中枠１３及び前枠１４のうち少なくとも一方が開放されているときには、磁気センサが磁気を検知しても特定の外部信号が外部装置へと出力されない。
【０１９６】
本実施形態では、中枠１３及び前枠１４が閉鎖された後の所定期間内では、磁気センサが磁気を検知した場合であっても、磁気検知信号の状態は特定状態とならない。このため、接続端子と外部装置が接続されているときであっても、中枠１３及び前枠１４が閉鎖されてからの所定期間内（扉部材が閉鎖されてからの所定期間内）においては、磁気センサが磁気を検知しても特定の外部信号が外部装置へと出力されない。
【０１９７】
具体的に、本実施形態では、中枠１３及び前枠１４が閉鎖された後に磁気センサが初期動作を行っているときには、当該磁気センサが磁気を検知した場合であっても、当該磁気センサから出力される磁気検知信号の状態は特定状態とならない。このため、接続端子と外部装置が接続されているときであっても、磁気センサが初期動作を行っているときには、当該磁気センサが磁気を検知しても特定の外部信号が外部装置へと出力されない。
【０１９８】
また、本実施形態では、中枠１３及び前枠１４が閉鎖された後に所定時間が経過するまでの期間内において磁気センサが磁気を検知した場合であっても、磁気検知信号の状態は特定状態とならない。このため、接続端子と外部装置が接続されているときであっても、中枠１３及び前枠１４が閉鎖された後に所定時間が経過するまでの期間内では、当該磁気センサが磁気を検知しても特定の外部信号が外部装置へと出力されない。
【０１９９】
本実施形態では、中枠１３及び前枠１４のうち少なくとも一方が開放されているときにパチンコ遊技機１０の電源が投入された場合（電力供給が開始された場合）には、１回目の中枠１３及び前枠１４の閉鎖後に初期動作が行われ、当該初期動作が行われているときには接続端子と外部装置が接続されていても外部信号が外部装置へと出力されない。更に、中枠１３及び前枠１４のうち少なくとも一方が開放されているときにパチンコ遊技機１０の電源が投入された場合には、２回目以降の中枠１３及び前枠１４の閉鎖後に所定時間が経過するまでの期間において、当該初期動作が行われているときには接続端子と外部装置が接続されていても外部信号が外部装置へと出力されない。そして、本実施形態では、本実施形態において初期動作に要する時間（初期動作を開始してから当該初期動作を終了するまでの時間）は、所定時間よりも長い時間となっている。
【０２００】
そして、接続端子と外部装置が接続されている場合であって、中枠１３及び前枠１４のうち少なくとも一方が開放されているときにパチンコ遊技機１０の電源が投入された場合、電源が投入されてから１回目の中枠１３及び前枠１４の閉鎖から磁気センサが磁気を検知しても特定の外部信号が外部装置へ出力されない期間を「期間Ｔ１」とする。また、接続端子と外部装置が接続されている場合であって、中枠１３及び前枠１４のうち少なくとも一方が開放されているときにパチンコ遊技機１０の電源が投入された場合、電源が投入されてから２回目以降の中枠１３及び前枠１４の閉鎖から磁気センサが磁気を検知しても特定の外部信号が外部装置へ出力されない期間を「期間Ｔ２」とする。この場合、期間Ｔ１は、期間Ｔ２よりも長い。
【０２０１】
磁気検知処理において、入力される磁気検知信号の状態が特定状態である場合、主制御用ＣＰＵ４０ａは、特別ゲームに係わる処理（例えば、特別図柄開始処理）や普通ゲームに係わる処理（例えば、普通図柄開始処理）の実行途中であれば、その実行途中の処理を中止するように構成してもよい。実行途中の処理を中止することにより、遊技を行うことが禁止されるように構成してもよい。
【０２０２】
このように遊技を行うことが禁止される状況となった場合、主制御用ＣＰＵ４０ａは、パチンコ遊技機１０への電源が遮断されるまで（電力供給が終了するまで）、中止するように構成してもよい。すなわち、磁気が検知された場合には、パチンコ遊技機１０への電源が再投入されるまで、特別ゲームに係る処理や普通ゲームに関する処理が制限されるように構成してもよい。また、本実施形態において、例えば、磁気検知信号の状態が特定状態となった後は、磁気センサが磁気を検知しない状況に切り替わったとしても磁気検知信号の状態は非特定状態とならずに特定状態のまま継続されるように構成してもよい。
【０２０３】
また、本実施形態のパチンコ遊技機１０では、前述したように、扉開放信号の状態は、前枠信号基板４９に入力された後に主基板４０へと入力される。そして、主基板４０の主制御用ＣＰＵ４０ａは、扉開放信号の状態（扉開放信号の出力状態）に応じた処理を行う。
【０２０４】
具体的に、主制御用ＣＰＵ４０ａは、入力される扉開放信号の状態が第１状態である場合（つまり、扉開放信号の出力状態がローレベルである場合）、所定の制御情報（以下、扉開放制御情報という）を出力バッファに格納する。扉開放制御情報は、扉開放信号の状態が第１状態であるときに出力される制御情報であることから、中枠１３及び前枠１４のうち少なくとも一方が開放されたことを特定可能な制御情報ともいえる。
【０２０５】
そして、副基板５０の副制御用ＣＰＵ５０ａは、扉開放制御情報を入力した場合、中枠１３及び前枠１４のうち少なくとも一方が開放されていること（扉部材が開放されていること）を報知する扉開放報知演出が行われるように、装飾ランプ１７、スピーカ１８及び演出表示装置２５のうち少なくとも１つを制御する。本実施形態において副制御用ＣＰＵ５０ａは、所定の発光態様で装飾ランプ１７が発光されるように制御し、「扉が開いています」などの音声がスピーカ１８から出力されるように制御するとともに、「扉が開いています」などの文字画像が演出表示装置２５に表示されるように制御する。本実施形態における扉開放報知演出では、中枠１３及び前枠１４のうち少なくとも一方が開放されていること（扉部材が開放されていること）を特定可能な情報が報知される。
【０２０６】
ここで、図７（ａ）〜（ｃ）に基づき、本実施形態における磁気センサの特性と、その作用について、タイミングチャートを用いて説明する。図７の説明において、「中枠１３及び前枠１４のうち少なくとも一方が開放されているとき」とは、「扉開放信号の状態が第１状態であるとき（扉開放信号の出力状態がローレベルであるとき）」に相当する。同様に、図７の説明において、「中枠１３及び前枠１４が閉鎖されているとき」とは、「扉開放信号の状態が第２状態であるとき（扉開放信号の出力状態がハイレベルであるとき）」に相当する。
【０２０７】
図７（ａ）では、中枠１３及び前枠１４のうち少なくとも一方が開放されているときにパチンコ遊技機１０の電源が投入された（電力供給が開始された）ものとする。一方、図７（ｂ），（ｃ）では、既に磁気センサの初期動作が終了しているものとする。
【０２０８】
図７（ａ）に示すように、中枠１３及び前枠１４のうち少なくとも一方が開放されているときにパチンコ遊技機１０の電源が投入された後、タイミングｔ１１において中枠１３及び前枠１４が閉鎖されて場合、磁気センサでは、初期動作が行われる。このように、中枠１３及び前枠１４のうち少なくとも一方が開放されているときには初期動作は行われず、中枠１３及び前枠１４が閉鎖されてから初期動作が行われる。
【０２０９】
因みに、図７（ａ）における初期動作が、タイミングｔ１１からタイミングｔ１２まで行われるものとする。その初期動作が行われている期間（タイミングｔ１１からタイミングｔ１２までの期間）中は、例えば、初期動作を行っている期間内のタイミングｔ１３からタイミングｔ１４にかけて磁気センサが磁気を検知したとしても、磁気検知信号の状態は特定状態とならずに非特定状態となる。
【０２１０】
図７（ｂ）に示すように、タイミングｔ２１において中枠１３及び前枠１４のうち少なくとも一方が開放されたとする。そして、中枠１３及び前枠１４のうち少なくとも一方が開放されている期間内のタイミングｔ２２からタイミングｔ２３にかけて磁気センサが磁気を検知したとしても、磁気検知信号の状態は特定状態とならずに非特定状態となる。因みに、タイミングｔ２１において中枠１３及び前枠１４のうち少なくとも一方が開放されると、扉開放報知演出が行われる。
【０２１１】
図７（ｃ）に示すように、タイミングｔ３１において中枠１３及び前枠１４のうち少なくとも一方が開放されたとする。そして、タイミングｔ３１において中枠１３及び前枠１４のうち少なくとも一方が開放された後、中枠１３及び前枠１４が閉鎖されるよりも前のタイミングｔ３２において磁気センサが磁気を検知したとする。タイミングｔ３２においては、中枠１３及び前枠１４のうち少なくとも一方が開放されていることから、磁気検知信号の状態は特定状態とならずに非特定状態となる。
【０２１２】
また、磁気センサが磁気を検知しているときのタイミングｔ３３において、中枠１３及び前枠１４が閉鎖されたとする。タイミングｔ３３は、中枠１３及び前枠１４が閉鎖しているものの、中枠１３及び前枠１４が閉鎖されてから所定時間が経過するタイミングｔ３４よりも前のタイミングである。このため、タイミングｔ３３から所定時間が経過するタイミングｔ３４までは、磁気センサが磁気を検知していたとしても、磁気検知信号の状態は特定状態とならずに非特定状態となる。
【０２１３】
そして、中枠１３及び前枠１４が閉鎖されてから所定時間が経過するタイミングｔ３４以降は、磁気センサが磁気を検知している場合、磁気検知信号の状態は特定状態となる。このように、磁気検知信号の状態が特定状態となった場合、磁気検知報知演出が行われるとともに、接続端子に接続されている外部装置へ特定の外部信号が出力される。因みに、タイミングｔ３１において中枠１３及び前枠１４のうち少なくとも一方が開放されると、扉開放報知演出が行われる。
【０２１４】
したがって、本実施形態によれば、以下に示す効果を得ることができる。
（１）磁気検知手段としての磁気センサには、扉開放信号（開放検知信号）が入力されるようになっており、扉開放信号の状態が第１状態であるときには磁気センサによる初期動作が行われないようにした。これにより、例えば、中枠１３や前枠１４が開放されてスピーカが有する磁石の磁気（不正を意図しない磁気）を検知した状況下において初期動作が行われることを抑制することができる。
【０２１５】
また、少なくとも扉開放信号の状態が第２状態である場合に初期動作が行われることから、中枠１３及び前枠１４のうち少なくとも一方の開放に伴って磁気が検知されている状況下において初期動作が行われることを抑制しつつ、磁気センサが正常に機能できるように初期動作を行うこともできる。
【０２１６】
（２）中枠１３及び前枠１４のうち少なくとも一方が開放されたとき（扉部材が開放されたとき）には、例えば、隣に設置された遊技機のスピーカが有する磁石の磁気を磁気検知手段としての磁気センサが検知する虞がある。しかし、扉開放信号（開放検知信号）の状態が第１状態であるときには、磁気検知信号の状態が特定状態とならず、非特定状態となる。このように、中枠１３及び前枠１４のうち少なくとも一方が開放されることにより不正を意図しない磁気が磁気センサにて検知され得る状況下において、磁気検知信号の状態が特定状態とならない。これにより、不正を意図しない磁気を検知したことによって遊技を行うことが禁止される状況に陥ってしまうようなことを抑制することができる。
【０２１７】
（３）中枠１３及び前枠１４を閉鎖（扉部材を閉鎖）した衝撃などによってパチンコ遊技機１０が揺れる場合には、不正を意図しない磁気を磁気検知手段としての磁気センサが検知してしまうことも考えられる。このため、扉開放信号（開放検知信号）の状態が第１状態から第２状態となった後でも、所定時間が経過するまでの期間（所定期間）内においては、磁気検知信号の状態が特定状態とならず、非特定状態となるようにした。これにより、中枠１３及び前枠１４が閉鎖した直後に不正を意図しない磁気を検知したことによって遊技を行うことが禁止される状況に陥ってしまうようなことを抑制することができる。
【０２１８】
（４）たとえ中枠１３及び前枠１４が閉鎖（扉部材が閉鎖）されるよりも前から磁気が検知されている場合でも、扉開放信号（開放検知信号）の状態が第１状態から第２状態となった後の所定期間（初期動作が行われている期間や所定時間が経過するまでの期間）内においては、磁気検知信号の状態が特定状態とならず、非特定状態となるようにした。これにより、中枠１３及び前枠１４の閉鎖前から不正を意図しない磁気を検知したことによって遊技を行うことが禁止される状況に陥ってしまうようなことを抑制することができる。
【０２１９】
（５）中枠１３及び前枠１４が閉鎖（扉部材が閉鎖）されるよりも前に磁気検知手段としての磁気センサが磁気を検知したか否かに関係なく、中枠１３及び前枠１４が閉鎖された後に磁気検知信号の状態が特定状態とならずに非特定状態となる期間の長さを同一とした。これにより、中枠１３及び前枠１４が閉鎖されるよりも前に磁気センサが磁気を検知したか否かに応じて生じる現象を変える必要がなく、磁気センサの構成を簡素にすることができる。
【０２２０】
（６）磁気検知手段としての磁気センサには、扉開放信号（開放検知信号）が入力されるようになっており、扉開放信号の状態が第１状態であるときには磁気センサによる初期動作が行われないようにした。これにより、例えば、中枠１３や前枠１４が開放されてスピーカが有する磁石の磁気（不正を意図しない磁気）を検知した状況下において初期動作が行われることを抑制することができる。
【０２２１】
また、中枠１３及び前枠１４のうち少なくとも一方が開放（扉部材が開放）されているときに電源が投入された場合（電力供給が開始された場合）に当該電源が投入されてから１回目の中枠１３及び前枠１４の閉鎖後に初期動作が行われる。このため、中枠１３及び前枠１４のうち少なくとも一方の開放に伴って磁気が検知されている状況下において初期動作が行われることを抑制しつつ、電源が投入されてから中枠１３及び前枠１４が閉鎖されて遊技が開始されるよりも前に磁気センサが正常に機能できるように初期動作を行うこともできる。
【０２２２】
（７）中枠１３及び前枠１４のうち少なくとも一方が開放されているとき（扉部材が開放されているとき）には、磁気検知手段としての磁気センサが磁気を検知する場合であっても特定の外部信号が出力されない。これにより、不正を意図しない磁気を検知したことによって特定の外部信号を入力する外部装置の管理者（例えば、遊技機の管理者）に不正が行われたものとして通報されてしまうことなどを抑制できる。
【０２２３】
（８）中枠１３及び前枠１４を閉鎖（扉部材を閉鎖）した衝撃などによってパチンコ遊技機１０が揺れる場合には、不正を意図しない磁気を磁気検知手段としての磁気センサが検知してしまうことも考えられる。このため、中枠１３及び前枠１４が閉鎖された後でも、所定期間内においては、特定の外部信号が出力されないように構成した。これにより、中枠１３及び前枠１４を閉鎖した直後に不正を意図しない磁気を検知したことによって特定の外部信号を入力する外部装置の管理者（例えば、遊技機の管理者）に不正が行われたものとして通報されてしまうことなどを抑制できる。
【０２２４】
（９）中枠１３及び前枠１４のうち少なくとも一方が開放されているとき（扉部材が開放されているとき）には、磁気検知信号の状態が特定状態とならずに非特定状態となることで、特定の外部信号が出力されない。これにより、不正を意図しない磁気を検知したことによって特定の外部信号を入力する外部装置の管理者（例えば、遊技機の管理者）に不正が行われたものとして通報されてしまうことなどを抑制できる。
【０２２５】
（１０）中枠１３及び前枠１４のうち少なくとも一方が開放されているときに電源投入された場合、１回目の中枠１３及び前枠１４の閉鎖から磁気が検知されているときであっても特定の外部信号が出力されない期間は、２回目以降の中枠１３及び前枠１４の閉鎖から磁気が検知されているときであっても特定の外部信号が出力されない期間よりも長い。ところで、電源投入後（電力供給開始後）の２回目以降の中枠１３及び前枠１４の閉鎖（扉部材の閉鎖）は、遊技店の営業時間中であることが想定される。このため、扉部材の閉鎖から特定の外部信号が長い期間に亘って出力されないと、その期間中に不正行為が行われるリスクが高くなったり、その期間が終わるまでの遊技者の待機時間が長くなったりすることが考えられる。このため、２回目以降の中枠１３及び前枠１４の閉鎖から磁気が検知されているときであっても特定の外部信号が出力されない期間の長さを短くすることで、特定の外部信号が出力されない期間において不正行為が行われるリスクを低くしたり、遊技者の待機時間を短くしたりすることができる。
【０２２６】
（１１）磁気検知手段としての磁気センサが磁気を検知した場合、所定条件が成立しているときには磁気検知信号の状態が特定状態とならずに非特定状態となる一方、所定条件が成立しないときには磁気検知信号の状態が特定状態となる。このように、所定条件が成立する状況下においては、たとえ磁気センサが磁気を検知した場合であっても、磁気検知信号の状態が特定状態とならない。これにより、単純に磁気センサが磁気を検知したからといって磁気検知状態が特定状態となるような場合に比して、より適切な磁気の検知を行うことができる。
【０２２７】
（１２）複数種類の所定条件のうちの特定の所定条件が成立する状態から当該特定の所定条件が成立しない状態へと切り替わった後に所定時間が経過するまでの期間内では、磁気検知手段としての磁気センサが磁気を検知した場合であっても磁気検知信号の状態が特定状態とならずに非特定状態となる。これにより、特定の所定条件が成立しない状態へと切り替わったことに伴って不正を意図しない磁気を検知したことによって遊技を行うことが禁止されるような状況に陥ってしまうようなことを抑制することができ、より適切な磁気の検知を行うことができる。
【０２２８】
（１３）磁気検知手段としての磁気センサが磁気を検知した場合であっても磁気検知信号の状態が特定状態とならずに非特定状態となる期間として、第１の期間や第２の期間のように複数の期間がある。これにより、状況に応じて「磁気センサが磁気を検知した場合であっても磁気検知信号の状態が特定状態とならずに非特定状態となる期間」を設けることができ、より適切に磁気の検知を行うことが可能となる。
【０２２９】
（１４）中枠１３及び前枠１４のうち少なくとも一方を開放した場合（扉部材を開放した場合）に、スピーカが有する磁石の磁気のように不正を意図しない磁気を磁気センサが検知する虞がある。そして、「磁気センサが磁気を検知した場合であっても磁気検知信号の状態が特定状態とならずに非特定状態となる期間」には、第１の期間や第２の期間とは別に、中枠１３及び前枠１４のうち少なくとも一方が開放されている期間（第３の期間）がある。これにより、第１の期間や第２の期間とは別に、中枠１３及び前枠１４のうち少なくとも一方が開放されている期間においても、磁気検知信号の状態が特定状態とならないようにすることで、より適切な磁気の検知を行うことができる。
【０２３０】
（１５）中枠１３及び前枠１４のうち少なくとも一方が開放されているときに電源投入された場合、１回目の中枠１３及び前枠１４の閉鎖から磁気が検知されているときでも磁気検知信号が特定状態とならない期間は、２回目以降の中枠１３及び前枠１４の閉鎖から磁気が検知されているときでも磁気検知信号が特定状態とならない期間よりも長い。ところで、電源投入後（電力供給開始後）の２回目以降の中枠１３及び前枠１４の閉鎖（扉部材の閉鎖）は、遊技店の営業時間中であることが想定される。このため、扉部材の閉鎖から磁気が検知されているときでも磁気検知信号が特定状態とならない期間が長いと、その期間中に不正行為が行われるリスクが高くなったり、その期間が終わるまでの遊技者の待機時間が長くなったりすることが考えられる。このため、２回目以降の中枠１３及び前枠１４の閉鎖から磁気が検知されているときでも磁気検知信号が特定状態とならない期間を短くすることで、特定の外部信号が出力されない期間において不正行為が行われるリスクを低くしたり、遊技者の待機時間を短くしたりすることができる。
【０２３１】
（１６）磁気検知手段としての磁気センサは、出力トランジスタとしてのトランジスタＴｒを有している。トランジスタＴｒは、磁気が検知されているときであって特定条件が成立している場合にオン状態となる一方、磁気が検知されていない場合及び磁気が検知されているときであって特定条件が成立していない場合にオフ状態となる。このようなトランジスタＴｒのオン状態やオフ状態を利用して、磁気検知信号の状態を変化させる（切り替える）ことができる。
【０２３２】
（１７）中枠１３及び前枠１４のうち少なくとも一方が開放されたとき（扉部材が開放されたとき）には、例えば、隣に設置された遊技機のスピーカが有する磁石の磁気を磁気検知手段としての磁気センサが検知する虞がある。このため、中枠１３及び前枠１４のうち少なくとも一方が開放されていることで所定条件が成立するようにすることで、より適切に磁気の検知を行うことができる。また、中枠１３及び前枠１４のうち少なくとも一方が開放されているときに電源投入（電力供給が開始）されてから１回目の中枠１３及び前枠１４の閉鎖後に初期動作が行われる。そして、初期動作が行われていることで所定条件が成立するようにした。これにより、初期動作中は磁気検知信号の状態が特定状態とならないことから正常に初期動作を行うことができ、この結果、正常に初期動作が行われることで適切に磁気の検知を行うことができるようになる。
【０２３３】
（１８）磁気検知手段としての磁気センサが磁気を検知した場合であっても磁気検知信号の状態が特定状態とならずに非特定状態となる期間が設けられる。このため、磁気センサが磁気を検知した場合であっても磁気検知信号の状態が特定状態とならずに非特定状態となる期間内においては、たとえ磁気センサが磁気を検知したとしても磁気検知信号の状態が特定状態とならない。これにより、単純に磁気センサが磁気を検知したからといって磁気検知信号の状態が特定状態となるような場合に比して、より適切な磁気の検知を行うことができる。また、磁気の検知範囲を切り替え可能に構成することにより、例えば、検知範囲を広くすることが好ましいときには磁気の検知範囲を広く切り替えることができる一方、検知範囲を広くすることが好ましくないときには磁気の検知範囲を狭く切り替えることができ、適切な磁気の検知を行うことができる。
【０２３４】
（１９）中枠１３及び前枠１４を閉鎖（扉部材を閉鎖）した衝撃などによってパチンコ遊技機１０が揺れる場合には、不正を意図しない磁気を磁気検知手段としての磁気センサが検知してしまうことも考えられる。このため、扉開放信号（開放検知信号）の状態が第１状態から第２状態となった後に所定時間が経過するまでの期間は、磁気センサが磁気を検知した場合であっても磁気検知信号の状態が特定状態とならずに非特定状態となる期間とした。これにより、中枠１３及び前枠１４を閉鎖した直後に不正を意図しない磁気を検知したことによって遊技を行うことが禁止される状況に陥ってしまうようなことを抑制することができ、適切な磁気の検知を行うことができる。
【０２３５】
（２０）磁気の検知範囲によって、磁気検知手段としての磁気センサが磁気を検知した場合であっても磁気検知信号の状態が特定状態とならずに非特定状態となる期間の長さは変化しない。このため、磁気の検知判定を切り替えたとしても、磁気センサが磁気を検知した場合であっても磁気検知信号の状態が特定状態とならずに非特定状態となる期間の長さに変化が生じず、適切な磁気の検知を行うことができる。また、磁気センサが磁気を検知した場合であっても磁気検知信号の状態が特定状態とならずに非特定状態となる期間の長さの変化を考慮して磁気の検知範囲を切り替える必要がなくなる。
【０２３６】
（２１）磁気の検知範囲によって、磁気検知手段としての磁気センサが磁気を検知した場合であっても磁気検知信号の状態が特定状態とならずに非特定状態となる期間の有無に変化はない。このため、磁気の検知範囲を切り替えたとしても、同じように磁気センサが磁気を検知した場合であっても磁気検知信号の状態が特定状態とならずに非特定状態となる期間が設けられることになり、適切な磁気の検知を行うことができる。また、磁気センサが磁気を検知した場合であっても磁気検知信号の状態が特定状態とならずに非特定状態となる期間の有無を考慮して磁気の検知範囲を切り替える必要がなくなる。
【０２３７】
（２２）所定の抵抗器に相当する抵抗器Ｒｄ１の抵抗値を切り替えることによって、磁気検知手段に相当する第１磁気センサＺＳ１による磁気の検知範囲を切り替えることができる。すなわち、電気回路上の抵抗器Ｒｄ１の抵抗値を切り替えて第１磁気センサＺＳ１による磁気の検知範囲を切り替えることができる。このように、第１磁気センサＺＳ１の制御によって磁気の検知範囲を切り替えるのではなく、物理的に抵抗値を切り替えることで磁気の検知範囲を切り替えることにより、制御の不備によって磁気の検知範囲が切り替わってしまうなどといったことを抑制でき、より適切な磁気の検知を行うことができる。
【０２３８】
（２３）磁気検知手段としての磁気センサが磁気を検知している場合であっても、所定条件が成立するときには磁気検知信号の出力状態はローレベルとならずにハイレベルとなる。一方、磁気センサが磁気を検知している場合であって所定条件が成立しないときには、磁気検知信号の出力状態はローレベルとなる。このように、所定条件が成立する状況下においては、たとえ磁気センサが磁気を検知している場合であっても、磁気検知信号の出力状態がローレベルとならない。これにより、単純に磁気センサが磁気を検知しているからといって磁気検知信号の出力状態がローレベルとなるような場合に比して、適切な磁気の検知を行うことができる。
【０２３９】
また、磁気センサの電気回路内で断線が発生した場合には、当該電気回路内で電流が流れないことから、磁気検知信号の出力状態がローレベルとなることが想定される。磁気が検知されているときであって特定条件が成立しているときに磁気検知信号の出力状態がローレベルとなることを利用することで、例えば、磁気センサの電気回路内で断線が発生した場合でも磁気検知信号の出力状態がローレベルとなって磁気を検知したことを報知するなどして、磁気センサに異常が発生していることを報知することが可能となる。
【０２４０】
（２４）磁気検知信号の出力方式をオープンコレクタとすることにより、静電気対策及びノイズ対策などを配慮して、磁気検知信号の出力状態を切り替えることができる。これにより、静電気やノイズによって磁気検知信号の出力状態が適切な出力状態とならないことによって生じる不適切な磁気の検知を抑制することができ、適切な磁気の検知を行うことができる。
【０２４１】
（２５）複数種類の所定条件のうち特定の所定条件が成立する状態から当該特定の所定条件が成立しない状態へと切り替わったことに伴って、不正を意図しない磁気を磁気検知手段としての磁気センサが検知してしまうことも想定される。このため、特定の所定条件が成立する状態から当該特定の所定条件が成立しない状態へ切り替わった後に所定時間が経過するまでは、磁気検知信号の出力状態がローレベルとならずにハイレベルとなる場合がある。これにより、特定の所定条件が成立しない状態へと切り替わったことに伴って不正を意図しない磁気を検知したことによって遊技を行うことが禁止されるような状況に陥ってしまうようなことを抑制することができ、より適切な磁気の検知を行うことができる。
【０２４２】
（２６）磁気検知手段としての磁気センサが磁気を検知した場合であっても磁気検知信号の出力状態がローレベルとならずにハイレベルとなる期間として、第１の期間や第２の期間のように複数の期間がある。これにより、状況に応じて「磁気センサが磁気を検知した場合であっても磁気検知信号の出力状態がローレベルとならずにハイレベルとなる期間」を設けることができ、より適切に磁気の検知を行うことが可能となる。
【０２４３】
（２７）扉開放信号（開放検知信号）の状態は、主基板４０、遊技盤入出力基板４２、主制御中継端子板４４、払出制御基板４５、発射制御基板４８及び前枠信号基板４９を介する。これにより、主基板４０、遊技盤入出力基板４２、主制御中継端子板４４、払出制御基板４５、発射制御基板４８及び前枠信号基板４９において、扉開放信号の状態を管理することが可能となり、例えば、扉開放信号の状態に応じた制御を行うことができ、扉開放信号の状態を利用し易くなる。一方、扉開放信号の状態は、外部装置と接続可能な基板を介さないことから、外部装置などを用いて扉開放信号の状態を変更するなどといった不正を抑制することができ、セキュリティが向上する。以上のように、主基板４０、遊技盤入出力基板４２、主制御中継端子板４４、払出制御基板４５、発射制御基板４８及び前枠信号基板４９を扉開放信号の状態が介す一方、外部端子板４６及び貸出装置接続端子板４７を扉開放信号の状態が介さないため、扉開放信号の状態を利用し易くしつつ、セキュリティを向上させることができる。
【０２４４】
なお、上記実施形態は以下のように変更してもよい。
・上記実施形態において、磁気センサに入力される扉開放信号（開放検知信号）の状態によって、磁気センサ主回路７２にかかる電圧値が変化するように構成してもよい。そして、磁気センサ主回路７２は、扉開放信号の状態によって変化する電圧値に応じて動作するように構成してもよい。このとき、磁気センサ主回路７２が扉開放信号の状態によって変化する電圧値に応じて動作することは、扉開放信号の状態に応じて動作することに相当する。このように構成する場合、磁気センサに入力される扉開放信号の状態によって、第２接続部Ｋ２へと流入する電流Ｉ１の値（強さや大きさ）が変化するように構成してもよいし、変化しない（同一となる）ように構成してもよい。
【０２４５】
・上記実施形態において、抵抗器Ｒｄ１（所定の抵抗器）の抵抗値が切り替わることによって、第１磁気センサＺＳ１の磁気センサ主回路７２にかかる電圧値が変化するように構成してもよい。そして、第１磁気センサＺＳ１の磁気センサ主回路７２では、抵抗器Ｒｄ１の抵抗値が切り替わることによって変化する電圧値に応じた検知範囲で磁気が検知されるように構成してもよい。このように構成する場合、抵抗器Ｒｄ１の抵抗値によって、第１接続部Ｋ１へと流入する電流Ｉ２の値（強さや大きさ）が変化するように構成してもよいし、変化しない（同一となる）ように構成してもよい。
【０２４６】
・上記実施形態における磁気センサ主回路７２では、タイマを用いて時間計測を行うように構成してもよいし、コンデンサを利用して時間計測を行うように構成してもよい。
・上記実施形態において、磁気センサによる初期動作に要する時間は、例えば、上記実施形態における所定時間よりと同一時間であってもよいし、上記実施形態における所定時間よりも短い時間であってもよい。また、磁気センサによる初期動作に要する時間が所定時間よりも短い場合には、例えば、初期動作が終了した後も磁気検知信号の状態が特定状態とならずに非特定状態となる期間となるように構成してもよく、その期間の長さは、所定時間と同一時間であってもよいし、所定時間と初期動作に要する時間の差と同一時間であってもよい。
【０２４７】
・上記実施形態において、中枠１３及び前枠１４のうち何れか一方のみを扉部材としてもよく、例えば、中枠１３及び前枠１４のうち中枠１３を扉部材とする場合、前枠１４が開放されているときであっても中枠１３が閉鎖されているときには扉部材が開放されていないこと（扉部材が閉鎖されていること）に相当する。このように中枠１３及び前枠１４のうち何れか一方のみを扉部材とする場合には、中枠１３が外枠１２に対して開放されていることを検知する検知部と、前枠１４が中枠１３に対して開放されていることを検知する検知部と、をそれぞれ設けてもよい。
【０２４８】
・上記実施形態において、主基板４０の主制御用ＣＰＵ４０ａが磁気センサの第３端子Ｐ３に供給する電気信号の電圧値（又は、電流の値）を制御可能に構成してもよい。そして、主制御用ＣＰＵ４０ａが第３端子Ｐ３に供給する電気信号の電圧値（又は、電流の値）を切り替えることで、磁気センサの磁気の検知範囲を切り替えるように構成してもよい。このように、主制御用ＣＰＵ４０ａは、磁気センサの磁気の検知範囲を切り替える制御を行うことが可能に構成してもよい。
【０２４９】
・上記実施形態における「磁気センサが磁気を検知した場合であっても磁気検知信号の状態が特定状態とならずに非特定状態となる期間」は、磁気センサが磁気を検知した場合であっても磁気検知信号の状態が特定状態とならない期間と捉えることもできる。また、上記実施形態における「磁気センサが磁気を検知した場合であっても磁気検知信号の状態が特定状態とならずに非特定状態となる期間」は、磁気センサが磁気を検知した場合であっても磁気検知信号の状態が非特定状態となる期間と捉えることもできる。
【０２５０】
・上記実施形態において、磁気検知信号の状態が特定状態であるときの磁気検知信号の出力状態をハイレベルとし、磁気検知信号の状態が非特定状態であるときの磁気検知信号の出力状態をローレベルとしてもよい。
【０２５１】
・上記実施形態において、扉開放信号（開放検知信号）の状態が第１状態であるときの扉開放信号の出力状態をハイレベルとし、扉開放信号の状態が第２状態であるときの扉開放信号の出力状態をローレベルとしてもよい。
【０２５２】
・上記実施形態において、遊技盤入出力基板４２（磁気センサＺＳ１〜ＺＳ３が接続されている基板）以外の基板へ出力される磁気検知信号の状態は、複数であってもよく、例えば、磁気センサ毎の磁気検知信号の状態が遊技盤入出力基板４２以外の基板へ出力されるように構成してもよい。このように構成する場合、複数の磁気センサのうち何れの磁気センサが磁気を検知したかについて特定することが可能となるため、磁気を検知した磁気センサに応じて制御することができる。例えば、磁気を検知した磁気センサに応じた内容の磁気検知報知演出を実行させたり、磁気を検知した磁気センサに応じた外部信号を出力する制御を行ったりすることが可能となる。なお、磁気を検知した磁気センサに応じた外部信号を出力する制御としては、外部信号そのものを異ならせたり、外部信号が出力される接続端子を異ならせたりすることが考えられる。
【０２５３】
・上記実施形態において、前枠信号基板４９（扉開放検知部Ｓ１１，Ｓ１２が接続されている基板）以外の基板へ出力される扉開放信号（開放検知信号）の状態は、複数であってもよく、扉開放検知部毎の扉開放信号の状態が前枠信号基板４９以外の基板へ出力されるように構成してもよい。このように構成する場合、複数の扉開放検知部のうち何れの扉開放検知部が、中枠１３及び前枠１４のうち少なくとも一方が開放されていること（扉部材が開放されていること）を検知したかについて特定することが可能となる。このため、中枠１３及び前枠１４のうち少なくとも一方が開放されていることを検知した扉開放検知部に応じて制御することができる。例えば、第１扉開放検知部Ｓ１１が中枠１３及び前枠１４のうち少なくとも一方が開放されていることを検知した場合には、「扉の上部が閉まっていません」などの文字画像が演出表示装置２５に表示されるように構成してもよい。同様に、第２扉開放検知部Ｓ１２が中枠１３及び前枠１４のうち少なくとも一方が開放されていることを検知した場合には、「扉の下部が閉まっていません」などの文字画像が演出表示装置２５に表示されるように構成してもよい。
【０２５４】
・上記実施形態における複数の所定条件のうち一部を所定条件から排除してもよい。例えば、上記実施形態において、磁気センサが初期動作を行っているときに、当該磁気センサが磁気を検知した場合、磁気検知信号の状態が特定状態となる（磁気検知信号の出力状態がローレベルとなる）ように構成してもよい。また、上記実施形態において、中枠１３及び前枠１４のうち少なくとも一方が開放されているとき（扉部材が開放されているとき）に磁気センサが磁気を検知した場合、磁気検知信号の状態が特定状態となる（磁気検知信号の出力状態がローレベルとなる）ように構成してもよい。また、上記実施形態において、中枠１３及び前枠１４が閉鎖（扉部材が閉鎖）されてから所定時間が経過するまでの期間内において磁気センサが磁気を検知した場合、磁気検知信号の状態が特定状態となる（磁気検知信号の出力状態がローレベルとなる）ように構成してもよい。
【０２５５】
・高確率状態に制御可能なパチンコ遊技機として、次に大当り遊技が付与されるまで高確率状態に制御する仕様や、転落抽選に当選するまで高確率状態に制御する仕様（転落機）、或いは予め定めた回数分の図柄変動ゲームが終了するまで高確率状態に制御する仕様（ＳＴ機）がある。また、高確率状態に制御可能なパチンコ遊技機には、遊技球が特定領域を通過することを契機に高確率状態に制御する仕様（Ｖ確変機）がある。上記実施形態のパチンコ遊技機は、これらの何れの仕様のパチンコ遊技機に具体化してもよい。また、パチンコ遊技機は、上記した転落機とＶ確変機を混合させた仕様のパチンコ遊技機であってもよい。また、Ｖ確変機は、単数の大入賞口を備えて特定のラウンド遊技を生じさせる仕様がある。また、Ｖ確変機は、特定のラウンド遊技で開放される大入賞口（Ｖ入賞口）と特定のラウンド遊技以外のラウンド遊技で開放される大入賞口からなる複数の大入賞口を備えて特定のラウンド遊技を生じさせる仕様がある。上記実施形態は、何れの仕様のＶ確変機に具体化してもよい。また、上記実施形態をＶ確変機に具体化する場合、磁気センサを、遊技盤２０の裏側であって、特定領域の裏側の位置に配設してもよい。
【０２５６】
・上記実施形態において、磁気センサＺＳ１〜ＺＳ３は、主基板４０と接続してもよい。また、複数の磁気センサを備える場合、一部の磁気センサは遊技盤入出力基板４２と接続し、他の磁気センサを主基板４０と接続してもよい。
【０２５７】
・上記実施形態において、抵抗器Ｒｄ１〜Ｒｄ３は、遊技盤入出力基板４２に設けなくてもよく、遊技盤入出力基板４２以外の基板（例えば、主基板４０や、主制御中継端子板４４、払出制御基板４５、発射制御基板４８、前枠信号基板４９）に設けてもよい。
【０２５８】
・上記実施形態において、扉開放検知部Ｓ１１，Ｓ１２は、主基板４０と接続されていてもよい。また、扉開放検知部Ｓ１１，Ｓ１２は、前枠信号基板４９と接続されていなくてもよく、例えば、扉開放検知部Ｓ１１，Ｓ１２を払出制御基板４５や発射制御基板４８と接続してもよい。
【０２５９】
・上記実施形態において扉開放信号（開放検知信号）の状態は、外部端子板４６や貸出装置接続端子板４７のように外部装置と接続される基板を介すように構成してもよい。また、上記実施形態において扉開放信号（開放検知信号）の状態は、外部装置と接続されない基板のうち一部の基板を介すように構成してもよいし、外部装置と接続されない基板の全てを介すように構成してもよい。
【０２６０】
・上記実施形態において、主基板４０及び払出制御基板４５は、主制御中継端子板４４を介さず、直接的に、主基板４０と払出制御基板４５を接続してもよい。また、直接的に、遊技盤入出力基板４２と前枠信号基板４９を接続してもよい。この場合、扉開放信号（開放検知信号）の状態は、主基板４０、主制御中継端子板４４、払出制御基板４５及び発射制御基板４８を介すことなく、磁気センサＺＳ１〜ＺＳ３へと入力される。
【０２６１】
・上記実施形態において、副基板５０をサブ統括制御基板とし、副基板５０とは別に演出表示装置２５を専門に制御する表示制御基板、装飾ランプ１７を専門に制御する発光制御基板、スピーカ１８を専門に制御する音声制御基板を設けてもよい。このようなサブ統括制御基板とその他の演出を制御する基板を含めて副基板としてもよい。
【０２６２】
・上記実施形態において、単一の基板に主基板４０の主制御用ＣＰＵ４０ａと副基板５０の副制御用ＣＰＵ５０ａとを搭載してもよい。また、上記の別例において、表示制御基板、発光制御基板、及び音声制御基板を任意に組み合わせて単数の基板、若しくは複数の基板としてもよい。
【０２６３】
・上記実施形態を遊技機は、スロットマシンであってもよい。一般的なスロットマシンでは、スタートレバーの操作（開始操作）に伴い、複数のリールが回転する。また、一般的なスロットマシンでは、ストップボタンの操作（停止操作）に伴い、複数のリールのうち操作されたストップボタンに対応するリールの回転が停止する。
【０２６４】
次に、上記実施形態及び別例から把握できる技術的思想を以下に追記する。
（イ）前記第１の期間は、前記第２の期間に比して長い。
（ロ）支持部材と、前記支持部材に開閉可能に支持される扉部材と、前記扉部材の開放を検知する扉開放検知手段と、を備え、前記磁気検知手段には、前記扉開放検知手段からの開放検知信号が入力され、前記扉開放検知手段からの開放検知信号の状態には、前記扉部材の開放が検知されていることを特定できる第１状態と、前記扉部材の開放が検知されていないことを特定できる第２状態と、があり、前記扉部材が開放されているときに電力供給が開始された場合に当該電力供給が開始されてから１回目の前記扉部材の閉鎖後に前記初期動作が行われ、前記所定条件には、前記磁気検知手段に入力される前記開放検知信号の状態が前記第１状態であることで成立する所定条件と、前記初期動作が行われていることで成立する所定条件と、がある。
【０２６５】
（ハ）磁気を検知する磁気検知手段を備えた遊技機において、前記磁気検知手段からの磁気検知信号が入力される制御手段を備え、前記磁気検知手段は、出力トランジスタを有し、前記出力トランジスタは、磁気が検知されているときであって特定条件が成立している場合にオン状態となる一方、磁気が検知されていない場合及び磁気が検知されているときであって前記特定条件が成立していない場合にオフ状態となり、前記磁気検知手段からの磁気検知信号の状態には、磁気が検知されていることを特定できる特定状態と、磁気が検知されていないことを特定できる非特定状態と、があり、前記磁気検知手段が磁気を検知している場合、所定条件が成立するときには前記磁気検知信号の状態が前記特定状態とならずに前記非特定状態となる一方、前記所定条件が成立していないときには前記磁気検知信号の状態が前記特定状態となることを特徴とする遊技機。
【０２６６】
（ニ）支持部材と、前記支持部材に開閉可能に支持される扉部材と、を有する遊技機において、前記扉部材の開放を検知する扉開放検知手段と、磁気を検知する磁気検知手段と、前記磁気検知手段からの磁気検知信号が入力される制御手段と、を備え、前記磁気検知手段では初期動作が行われ、前記磁気検知手段には、前記扉開放検知手段からの開放検知信号が入力され、前記扉開放検知手段からの開放検知信号の状態には、前記扉部材の開放が検知されていることを特定できる第１状態と、前記扉部材の開放が検知されていないことを特定できる第２状態と、があり、少なくとも前記磁気検知手段に入力される前記開放検知信号の状態が前記第１状態である場合に前記初期動作が行われず、少なくとも前記磁気検知手段に入力される前記開放検知信号の状態が前記第２状態である場合に前記初期動作が行われることを特徴とする遊技機。
【０２６７】
（ホ）支持部材と、前記支持部材に開閉可能に支持される扉部材と、を有する遊技機において、前記扉部材の開放を検知する扉開放検知手段と、磁気を検知する磁気検知手段と、前記磁気検知手段からの磁気検知信号が入力される制御手段と、を備え、前記磁気検知手段では初期動作が行われ、前記磁気検知手段には、前記扉開放検知手段からの開放検知信号が入力され、前記扉開放検知手段からの開放検知信号の状態には、前記扉部材の開放が検知されていることを特定できる第１状態と、前記扉部材の開放が検知されていないことを特定できる第２状態と、があり、少なくとも前記磁気検知手段に入力される前記開放検知信号の状態が前記第１状態である場合に前記初期動作が行われず、前記扉部材が開放されているときに電力供給が開始された場合に当該電力供給が開始されてから１回目の前記扉部材の閉鎖後に前記初期動作が行われることを特徴とする遊技機。
【０２６８】
（ヘ）磁気を検知する磁気検知手段を備え、前記磁気検知手段による磁気の検知範囲を切り替え可能に構成された遊技機において、前記磁気検知手段からの磁気検知信号が入力される制御手段を備え、前記磁気検知手段からの磁気検知信号の状態には、磁気が検知されていることを特定できる特定状態と、磁気が検知されていないことを特定できる非特定状態と、があり、前記磁気検知手段が磁気を検知した場合であっても前記磁気検知信号の状態が前記特定状態とならずに前記非特定状態となる期間が設けられることを特徴とする遊技機。
【０２６９】
（ト）磁気を検知する磁気検知手段を備えた遊技機において、前記磁気検知手段からの磁気検知信号が入力される制御手段を備え、前記磁気検知手段からの磁気検知信号の出力状態は、少なくとも磁気を検知していないときにはハイレベルとなり、磁気を検知しているときであって特定条件が成立しているときにはローレベルとなり、前記磁気検知手段が磁気を検知した場合、所定条件が成立するときには前記磁気検知信号の出力状態がローレベルとならずにハイレベルとなる一方、前記所定条件が成立しないときには前記磁気検知信号の出力状態がローレベルとなることを特徴とする遊技機。
【符号の説明】
【０２７０】
１０…パチンコ遊技機、１２…外枠、１３…中枠、１４…前枠、１７…装飾ランプ、１８…スピーカ、２５…演出表示装置、４０…主基板、４０ａ…主制御用ＣＰＵ、４０ｂ…主制御用ＲＯＭ、４０ｃ…主制御用ＲＡＭ、４１…電源ユニット、４２…遊技盤入出力基板、４３…情報基板、４４…主制御中継端子板、４５…払出制御基板、４５ａ…払出制御用ＣＰＵ、４５ｂ…払出制御用ＲＯＭ、４５ｃ…払出制御用ＲＡＭ、４６…外部端子板、４７…貸出装置接続端子板、４８…発射制御基板、４９…前枠信号基板、５０…副基板、５０ａ…副制御用ＣＰＵ、５０ｂ…副制御用ＲＯＭ、５０ｃ…副制御用ＲＡＭ、Ｓ１１，Ｓ１２…扉開放検知部、ＺＳ１〜ＺＳ３…磁気センサ。
【図１】
2018038586.tif 000003
【図２】
2018038586.tif 000004
【図３】
2018038586.tif 000005
【図４】
2018038586.tif 000006
【図５】
2018038586.tif 000007
【図６】
2018038586.tif 000008
【図７】
2018038586.tif 000009